(57)【特許請求の範囲】
【請求項１】
アップリンク信号を伝送する方法であって、
前記方法は、
サブフレーム内の資源要素に情報シンボルをマッピングすることであって、前記サブフレームは、２つのスロットを含み、各スロットは、複数のＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルを含む、ことと、
基準信号シンボルが各スロットにおいて１つのＳＣ−ＦＤＭＡシンボルのみに存在するように、前記資源要素に基準信号シンボルをマッピングすることと、
前記サブフレームにおいて、前記複数のＳＣ−ＦＤＭＡシンボルを介して、前記情報シンボルおよび前記基準信号シンボルを伝送することと
を含み、
前記情報シンボルのランク情報シンボルが、第１のセットの４つのＳＣ−ＦＤＭＡシンボルに存在し、前記第１のセットの４つのＳＣ−ＦＤＭＡシンボルの各々は、１つのＳＣ−ＦＤＭＡシンボルだけ前記基準信号シンボルのためのＳＣ−ＦＤＭＡシンボルと離隔されており、
前記情報シンボルのＨＡＲＱ−ＡＣＫ（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ）情報シンボルが、第２のセットの４つのＳＣ−ＦＤＭＡシンボルに存在し、前記第２のセットの４つのＳＣ−ＦＤＭＡシンボルの各々は、前記基準信号シンボルのためのＳＣ−ＦＤＭＡシンボルと隣接している、方法。
【請求項２】
標準循環プレフィックスが構成される場合に、前記基準信号シンボルは、各スロットにおいて４番目のＳＣ−ＦＤＭＡシンボルのみに存在する、請求項１に記載の方法。
【請求項３】
前記情報シンボルのランク情報シンボルは、各スロットにおいて２番目および６番目のＳＣ−ＦＤＭＡシンボルに存在する、請求項２に記載の方法。
【請求項４】
前記ＨＡＲＱ−ＡＣＫ情報シンボルは、前記サブフレームの各スロットにおいて３番目および５番目のＳＣ−ＦＤＭＡシンボルに存在する、請求項２に記載の方法。
【請求項５】
拡張循環プレフィックスが構成される場合に、前記基準信号シンボルは、各スロットにおいて３番目のＳＣ−ＦＤＭＡシンボルのみに存在する、請求項１に記載の方法。
【請求項６】
前記情報シンボルのランク情報シンボルは、各スロットにおいて１番目および５番目のＳＣ−ＦＤＭＡシンボルに存在する、請求項５に記載の方法。
【請求項７】
前記ＨＡＲＱ−ＡＣＫ情報シンボルは、各スロットにおいて２番目および４番目のＳＣ−ＦＤＭＡシンボルに存在する、請求項５に記載の方法。
【請求項８】
前記情報シンボルは、前記ＨＡＲＱ−ＡＣＫ情報シンボルによりパンクチャリングされた情報シンボルを含む、請求項１に記載の方法。
【請求項９】
アップリンク信号を伝送するように構成された移動通信装置であって、
前記移動通信装置は、
サブフレーム内の資源要素に情報シンボルをマッピングすることであって、前記サブフレームは、各スロットが複数のＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルを含むように２つのスロットを含む、ことと、基準信号シンボルが前記サブフレームの各スロットにおいて１つのＳＣ−ＦＤＭＡシンボルのみに存在するように、前記資源要素に基準信号シンボルをマッピングすることとを実行する第１のモジュールと、
前記サブフレームにおいて、前記複数のＳＣ−ＦＤＭＡシンボルを介して、前記情報シンボルおよび前記基準信号シンボルを伝送する第２のモジュールと
を備え、
前記情報シンボルのランク情報シンボルが、第１のセットの４つのＳＣ−ＦＤＭＡシンボルに存在し、前記第１のセットの４つのＳＣ−ＦＤＭＡシンボルの各々は、１つのＳＣ−ＦＤＭＡシンボルだけ前記基準信号シンボルのためのＳＣ−ＦＤＭＡシンボルと離隔されており、
前記情報シンボルのＨＡＲＱ−ＡＣＫ（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ）情報シンボルが、第２のセットの４つのＳＣ−ＦＤＭＡシンボルに存在し、前記第２のセットの４つのＳＣ−ＦＤＭＡシンボルの各々は、前記基準信号シンボルのためのＳＣ−ＦＤＭＡシンボルと隣接している、移動通信装置。
【請求項１０】
標準循環プレフィックスが構成される場合に、前記基準信号シンボルは、各スロットにおいて４番目のＳＣ−ＦＤＭＡシンボルのみに存在する、請求項９に記載の移動通信装置。
【請求項１１】
前記情報シンボルのランク情報シンボルは、各スロットにおいて２番目および６番目のＳＣ−ＦＤＭＡシンボルに存在する、請求項１０に記載の移動通信装置。
【請求項１２】
前記ＨＡＲＱ−ＡＣＫ情報シンボルは、各スロットにおいて３番目および５番目のＳＣ−ＦＤＭＡシンボルに存在する、請求項１０に記載の移動通信装置。
【請求項１３】
拡張循環プレフィックスが構成される場合に、前記基準信号シンボルは、各スロットにおいて３番目のＳＣ−ＦＤＭＡシンボルのみに存在する、請求項９に記載の移動通信装置。
【請求項１４】
前記情報シンボルのランク情報シンボルは、各スロットにおいて１番目および５番目のＳＣ−ＦＤＭＡシンボルに存在する、請求項１３に記載の移動通信装置。
【請求項１５】
前記ＨＡＲＱ−ＡＣＫ情報シンボルは、各スロットにおいて２番目および４番目のＳＣ−ＦＤＭＡシンボルに存在する、請求項１３に記載の移動通信装置。
【請求項１６】
前記情報シンボルは、前記ＨＡＲＱ−ＡＣＫ情報シンボルによりパンクチャリングされた情報シンボルを含む、請求項９に記載の移動通信装置。
【発明の詳細な説明】
【技術分野】
【０００１】
本発明は、無線移動通信システムでデータ及び制御シーケンスを多重化して物理チャンネルにマッピングする方法に関するものである。
【背景技術】
【０００２】
ＭＡＣ（ｍｅｄｉａ  ａｃｃｅｓｓ  ｃｏｎｔｒｏｌ）階層から物理階層に伝達されるデータ及び制御シーケンスは、符号化された後、無線伝送リンクを介して伝送及び制御サービスを提供する。チャンネルコーディング方式は、エラー検出、エラー訂正、レートマッチング、インターリービング、及び伝送チャンネル情報又は制御情報を物理チャンネルにマッピングするプロセスを組み合わせてなる。ＭＡＣ階層から伝達されるデータは、上述したチャンネルコーディング方式によって情報ビット及び非情報ビットを含んで構成される。ここで、非情報ビットはパリティビットである。
【０００３】
３ＧＰＰにおいて、アップリンク伝送チャンネルのうちＵＬ―ＳＣＨ及びＲＡＣＨは、物理チャンネルのうちＰＵＳＣＨ及びＰＲＡＣＨにそれぞれマッピングされる。また、アップリンク制御チャンネル情報のうちＵＣＩは、ＰＵＣＣＨ及び／又はＰＵＳＣＨにマッピングされる。ダウンリンク伝送チャンネルのうちＤＬ―ＳＣＨ、ＢＣＨ、ＰＣＨ及びＭＣＨは、物理チャンネルのうちＰＤＳＣＨ、ＰＢＣＨ、ＰＤＳＣＨ及びＰＭＣＨにそれぞれマッピングされる。また、ダウンリンク制御チャンネル情報のうちＣＦＩ、ＨＩ及びＤＣＩは、物理チャンネルのうちＰＣＦＩＣＨ、ＰＨＩＣＨ及びＰＤＣＣＨにそれぞれマッピングされる。上述した伝送チャンネルは、多様な処理過程を経て物理チャンネルにそれぞれマッピングされる。特に、ＵＬ―ＳＣＨなどのチャンネルにおいて、一つ以上の伝送チャンネル又は制御情報に対してＣＲＣ（ｃｙｃｌｉｃ  ｒｅｄｕｎｄａｎｃｙ  ｃｈｅｃｋ）計算、コードブロック分割、チャンネルコーディング、レートマッチング及びコードブロック連接のための処理が行われる。
【０００４】
図１は、伝送チャンネル及び／又は制御情報に対する処理過程を示している。伝送時区間（ｔｒａｎｓｍｉｓｓｉｏｎ  ｔｉｍｅ  ｉｎｔｅｒｖａｌ：ＴＴＩ）ごとに伝送ブロックの形態を有するデータが最大一つ入力される。この伝送ブロックは次のように処理される。まず、ＣＲＣ付加部では、伝送ブロックの形態を有するデータにＣＲＣが付加される。コードブロック分割部では、ＣＲＣが付加されたデータが一つ以上のコードブロックに分割される。チャンネルコーディング部では、分割されたそれぞれのコードブロックのコードブロックデータストリームに対してチャンネルコーディングが行われる。レートマッチング部では、チャンネルコーディングが行われたそれぞれのデータストリームに対してレートマッチングが行われる。コードブロック連接部では、レートマッチングが行われた一つ以上のデータストリームが互いに連接されることによって、符号化されたデータビットのシーケンスを形成する。一方、別途のチャンネルコーディング部では、制御情報に対してチャンネルコーディングを行うことによって、符号化された制御ビットのシーケンスを形成する。データ／制御多重化部では、上述した符号化されたデータビットのシーケンスと符号化された制御ビットのシーケンスを多重化することによって、多重化されたビットのシーケンスを出力する。
【０００５】
ここで、変調等級（ｍｏｄｕｌａｔｉｏｎ  ｏｒｄｅｒ；Ｑｍ）にしたがって、一つのシンボルは一つ以上のビットによって構成される。例えば、ＢＰＳＫ、ＱＰＳＫ、１６ＱＡＭ及び６４ＱＡＭに対して、それぞれ１ビット、２ビット、４ビット及び６ビットが一つのシンボルを構成する。そして、ＳＣ―ＦＤＭＡを使用するシステムで一つの資源要素（ｒｅｓｏｕｒｃｅ  ｅｌｅｍｅｎｔ、ＲＥ）に一つのシンボルがマッピングされるので、シンボル単位で説明することができる。したがって、この文献で「符号化されたデータビット」、「符号化された制御ビット」及び「多重化されたビット」という用語は、説明の便宜上、変調等級を考慮し、それぞれ「符号化されたデータシンボル」、「符号化された制御シンボル」及び「多重化されたシンボル」という用語に取り替えられる。また、「符号化されたデータビット」、「符号化されたデータシンボル」、「符号化された制御ビット」及び「符号化された制御シンボル」という用語は、説明の便宜上、それぞれ「データビット」、「データシンボル」、「制御ビット」及び「制御シンボル」に略称することができる。
【０００６】
制御情報は、その特性によって一つ以上のタイプに分類され、タイプの個数によって多様な多重化方式が考慮される。
【０００７】
一つのタイプの制御情報のみが存在する場合、データ情報と制御情報が多重化されるとき、制御情報は、データ情報を上書きしたり、又はデータ情報を上書きしない。
【０００８】
二つのタイプの制御情報が存在する場合、第１のタイプの制御情報及び第２のタイプの制御情報に分けることができる。第２のタイプの制御情報が第１のタイプの制御情報より重要である場合、まず、データ情報と制御情報が多重化されるとき、第１のタイプの制御情報がデータ情報を上書きしたり、又はデータ情報を上書きしない方式で多重化される。その後、第２のタイプの制御情報は、前記のように多重化されたデータ情報及び／又は第１のタイプの制御情報を上書きしたり、又はこれら情報を上書きしない。
【０００９】
図２は、３ＧＰＰのＵＬ―ＳＣＨに対する伝送チャンネル処理過程を示している。図２は、Ｒ＊Ｃ（例えば、Ｃ＝１４）（‘Ｒ’ｒｏｗｓ；‘Ｃ’ｃｏｌｕｍｎｓ）の行列構造を示す。以下、このような構造を「各資源要素の集合」と称することができる。ここで、横方向には時間領域で連続したＣ個のシンボルが配列され、縦方向には周波数領域でのＲ個の仮想副搬送波が配列される。各資源要素の集合において、仮想副搬送波は互いに隣接して配列されているが、それぞれの仮想副搬送波に対応するそれぞれの物理チャンネル上の搬送波は、周波数領域で非連続的である。以下、この文献で各資源要素の集合と関連した「仮想副搬送波」という用語は、簡潔さのために「副搬送波」と略称する。「標準ＣＰ構造」（標準循環前置構造；ｎｏｒｍａｌ  ｃｙｃｌｉｃ  ｐｒｅｆｉｘ  ｓｔｒｕｃｔｕｒｅ）では１４個（Ｃ＝１４）のシンボルが一つのサブフレームを構成するが、拡張ＣＰ（拡張循環前置；ｅｘｔｅｎｄｅｄ  ｃｙｃｌｉｃ  ｐｒｅｆｉｘ）構造では１２個（Ｃ＝１２）のシンボルが一つのサブフレームを構成することができる。すなわち、図２は「標準ＣＰ構造」を仮定した図である。「拡張ＣＰ構造」が使用される場合、図２は、Ｃ＝１２である行列構造を有することができる。図２を参照すれば、一つのサブフレーム当たりの「シンボルの個数」＊「副搬送波の個数」＝Ｃ＊Ｒ＝Ｍ個のシンボルがマッピングされる。すなわち、一つのサブフレーム当たりのＭ個の資源要素にＭ個のシンボルがマッピングされる。ところが、Ｍ個の資源要素には、データシンボルと制御シンボルが多重化されて生成されたシンボルだけでなく、ＲＳ（Ｒｅｆｅｒｅｎｃｅ  Ｓｉｇｎａｌ）シンボル及び／又はＳＲＳ（Ｓｏｕｎｄｉｎｇ  ＲＳ）シンボルがマッピングされる。したがって、Ｋ個のＲＳ（Ｒｅｆｅｒｅｎｃｅ  Ｓｉｇｎａｌ）シンボル及び／又はＳＲＳシンボルがマッピングされる場合、Ｍ−Ｋ個の多重化されたシンボルがマッピングされる。
【００１０】
図２は、二つの種類の制御情報、すなわち、制御情報１及び制御情報２が各資源要素の集合にマッピングされる例を示している。図２を参照すれば、多重化されたシンボルのシーケンスは、「時間優先マッピング」（ｔｉｍｅ―ｆｉｒｓｔ  ｍａｐｐｉｎｇ）方法によってマッピングされる。すなわち、１番目の副搬送波の１番目のシンボル位置から右側に順次マッピングされる。一つの副搬送波内でマッピングが終了すれば、その次の副搬送波の１番目のシンボル位置から右側に順次マッピングされる。以下、シンボルは、ＳＣ−ＦＤＭＡシンボルを称することができる。制御情報１とデータ情報は、「制御情報１」→「データ情報」の順に「時間優先マッピング」法でマッピングされる。制御情報２は、「最後の副搬送波」→「１番目の副搬送波」の順にＲＳシンボルの両側に位置したシンボルのみにマッピングされる。ここで、最後の副搬送波は、図２の各資源要素の集合において一番下側に位置する副搬送波を称し、１番目の副搬送波は、一番上側に位置する副搬送波を称する。ここで、制御情報１は、データ情報とのレートマッチングによってマッピングされ、制御情報２は、このようにマッピングされた制御情報１及び／又はデータ情報をパンクチャリング（ｐｕｎｃｔｕｒｉｎｇ）してマッピングされる。ここで、データ情報は、通常、一つの伝送ブロックから分割された多数のコードブロックが順次連接されて形成される。
【００１１】
データ情報と制御情報を多重化するときは、次のような点を考慮しなければならない。第一に、多重化する規則は、制御情報の量と種類又は制御情報の有無によって変更されてはならない。第二に、制御情報がレートマッチングによってデータと多重化されたり、制御情報がデータ及び／又は他の種類の制御情報をパンクチャリングする場合、循環バッファの他のデータの伝送に影響を与えてはならない。第三に、次の余剰バージョン（ｒｅｄｕｎｄａｎｃｙ  ｖｅｒｓｉｏｎ）に対する循環バッファの開始時点は、制御情報の有無に影響を受けてはならない。第四に、ＨＡＲＱ（Ｈｙｂｒｉｄ  Ａｕｔｏｍａｔｉｃ  Ｒｅｐｅａｔ  ｒｅＱｕｅｓｔ）伝送方式において、ＨＡＲＱバッファ変調を回避可能でなければならない。また、多重化された情報をデータチャンネルにマッピングする方法において、特定種類の制御情報は、良い性能を発揮できるＲＳに隣接する資源要素にマッピングされなければならない。
【００１２】
図２による方法では、二種類の制御情報がデータ情報と共に仮想物理チャンネルにマッピングされるので、他の種類の制御情報を共にマッピングするためには新しい規則が要求される。また、図２の方法では、制御情報２がデータ情報及び／又は制御情報１をパンクチャリングするとき、最後のコードブロックからパンクチャリングするようになる。ところが、伝送環境と符号化率によって最後のコードブロックにエラーが発生する確率が高い場合、最後のコードブロックのみにエラーが発生しうる。この場合、全てのコードブロックがデコーディングされた後でエラーが検出されるので、伝送エラーの判断が遅延され、その結果、各コードブロックをデコーディングするために消耗される電力も増加する。
【発明の概要】
【発明が解決しようとする課題】
【００１３】
本発明の目的は、上述した従来技術の問題点を解決し、無線移動通信システムの性能を向上させるために、制御情報の有無及び種類を考慮した一定の規則にしたがって制御情報をマッピングする方法を提供することにある。
【課題を解決するための手段】
【００１４】
上述した課題を解決するための本発明の一様相に係る無線移動通信システムでデータ情報及び複数の制御情報を多重化する方法は、（ａ）第１の制御情報が各物理資源要素の集合のうち基準信号がマッピングされる資源要素から時間軸で一つの資源要素だけ離隔した資源要素にマッピングされるように、前記各物理資源要素の集合にマッピングされる入力情報を生成するための行列上に前記第１の制御情報を資源要素単位でマッピングし、（ｂ）第２の制御情報とデータ情報が多重化されて形成されるシーケンスが前記マッピングされた第１の制御情報を上書きしないように、前記行列上に前記シーケンスを資源要素単位でマッピングし、（ｃ）第３の制御情報が前記各物理資源要素の集合のうち前記基準信号がマッピングされる資源要素から時間軸で隣接した資源要素にマッピングされるように、前記行列上に前記第３の制御情報を資源要素単位でマッピングすることを含む。
【００１５】
本発明の他の様相による広帯域無線移動通信装置は、第２の制御情報とデータ情報を多重化するデータ―制御多重化部と、前記データ―制御多重化部から出力されるシーケンス及び複数の制御情報を多重化するチャンネルインタリーバとを含み、前記チャンネルインタリーバは、（ａ）第１の制御情報が各物理資源要素の集合のうち基準信号がマッピングされる資源要素から時間軸で一つの資源要素だけ離隔した資源要素にマッピングされるように、前記各物理資源要素の集合にマッピングされる入力情報を生成するための行列上に前記第１の制御情報が資源要素単位でマッピングされ、（ｂ）前記シーケンスが前記マッピングされた第１の制御情報を上書きしないように、前記行列上に前記シーケンスが資源要素単位でマッピングされ、（ｃ）第３の制御情報が前記各物理資源要素の集合のうち前記基準信号がマッピングされる資源要素から時間軸で隣接した資源要素にマッピングされるように、前記行列上に前記第３の制御情報が資源要素単位でマッピングされる。
【００１６】
望ましくは、前記段階（ａ）で、前記第１の制御情報は、前記行列の最後の行から上側方向にマッピングされたり、前記行列の最後の行を含んで前記第１の制御情報がマッピングされるように、前記行列の特定行から下側方向にマッピングされ、前記段階（ｂ）で、前記シーケンスは、前記行列の１番目の行から下側方向にマッピングされ、前記段階（ｃ）で、前記第３の制御情報は、前記行列の最後の行から上側方向にマッピングされたり、前記行列の最後の行を含んで前記第３の制御情報がマッピングされるように、前記行列の特定行から下側方向にマッピングされる。
【００１７】
望ましくは、前記段階（ｂ）で、それぞれの行内にマッピングされる前記シーケンスのシンボルは、前記それぞれの行で左側方向、右側方向又は特定順序によってマッピングされる。
【００１８】
望ましくは、前記段階（ａ）で、それぞれの行にマッピングされる前記第１の制御情報のシンボルは、前記それぞれの行内で、前記一つの資源要素だけ離隔した資源要素に対応する前記行列の要素のうち一番左側の要素から右側方向にマッピングされたり、一番右側の要素から左側方向にマッピングされたり、又は特定順序によってマッピングされ、前記段階（ｃ）で、それぞれの行にマッピングされる前記第３の制御情報のシンボルは、前記それぞれの行内で、前記隣接した資源要素に対応する前記行列の要素のうち一番左側の要素から右側方向にマッピングされたり、一番右側の要素から左側方向にマッピングされたり、又は特定順序によってマッピングされる。
【００１９】
望ましくは、前記段階（ａ）で、それぞれの行にマッピングされる前記第１の制御情報のシンボルは、前記それぞれの行内で、前記一つの資源要素だけ離隔した資源要素に対応する前記行列の要素のうち一番右側の要素から左側方向にマッピングされたり、一番左側の要素から右側方向にマッピングされたり、又は特定順序によってマッピングされ、前記段階（ｃ）で、それぞれの行にマッピングされる前記第３の制御情報のシンボルは、前記それぞれの行内で、前記隣接した資源要素に対応する前記行列の要素のうち一番右側の要素から左側方向にマッピングされたり、一番左側の要素から右側方向にマッピングされたり、又は特定順序によってマッピングされる。
【００２０】
望ましくは、前記段階（ａ）で、それぞれの行にマッピングされる前記第１の制御情報のシンボルのうち１番目のシンボルは、前記それぞれの行内で、前記一つの資源要素だけ離隔した資源要素に対応する前記行列の要素のうち一番左側の要素にマッピングされ、前記第１の制御情報のシンボルのうち前記１番目のシンボルを除いた残りのシンボルは、前記それぞれの行内で、前記一つの資源要素だけ離隔した資源要素に対応する前記行列の要素のうち一番右側の要素から左側方向にマッピングされ、前記段階（ｃ）で、それぞれの行にマッピングされる前記第３の制御情報のシンボルのうち１番目のシンボルは、前記それぞれの行内で、前記隣接した資源要素に対応する前記行列の要素のうち一番左側の要素にマッピングされ、前記第３の制御情報のシンボルのうち前記１番目のシンボルを除いた残りのシンボルは、前記それぞれの行内で、前記隣接した資源要素に対応する前記行列の要素のうち一番右側の要素から左側方向にマッピングされる。
【００２１】
望ましくは、前記第１の制御情報は、ＲＩ（ｒａｎｋ  ｉｎｄｉｃａｔｉｏｎ）に関する情報で、前記第２の制御情報は、ＣＱＩ及びＰＭＩのうち一つ以上を含む情報で、前記第３の制御情報は、ＨＡＲＱの応答であるＡＣＫ／ＮＡＣＫに関する情報である。
【００２２】
望ましくは、前記各物理資源要素の集合は、Ｃ個のシンボル区間及びＲ個の副搬送波で構成され、前記Ｃ個のシンボル区間の全体長さは、２個のスロットで構成される一つのサブフレームの長さと同一で、前記基準信号は、前記Ｃ個のシンボル区間のうち互いに隣接しない２個のシンボル区間にマッピングされ、前記２個のシンボル区間は、前記２個のスロットにそれぞれ一つずつ割り当てられ、前記行列は、（Ｃ−２）個の列とＲ個の行で構成され、前記行列の各要素は、前記各物理資源要素の集合のうち前記２個のシンボル区間を除いた領域の各資源要素に１対１に対応し、前記多重化方法は、前記段階（ｂ）以前に、前記第２の制御情報以後に前記データ情報が配列されるように、前記第１の制御情報と前記データ情報を配列して前記シーケンスを形成することをさらに含み、前記段階（ａ）は、前記第１の制御情報が存在するときのみに行われ、前記段階（ｃ）は、前記第３の制御情報が存在するときのみに行われる。
【００２３】
本発明の更に他の様相による無線移動通信システムでデータ情報及び複数の制御情報を多重化する方法は、第１の制御情報、第２の制御情報及びデータ情報が多重化されて形成されるシーケンス及び第３の制御情報を、各物理資源要素の集合にマッピングされる入力情報を生成するための行列上に資源要素単位でマッピングすることを含み、前記第１の制御情報及び第３の制御情報は、前記各物理資源要素の集合のうち基準信号がマッピングされる資源要素から時間軸で隣接した資源要素にマッピングされ、前記シーケンスは、前記マッピングされた第１の制御情報及び第３の制御情報を上書きしないようにマッピングされる。
【００２４】
本発明の更に他の様相による広帯域無線移動通信装置は、データ情報及び複数の制御情報を多重化するチャンネルインタリーバを含み、前記チャンネルインタリーバで、第１の制御情報、第２の制御情報及びデータ情報が多重化されて形成されるシーケンス及び第３の制御情報が各物理資源要素の集合にマッピングされる入力情報を生成するための行列上に資源要素単位でマッピングされ、前記第１の制御情報及び前記第３の制御情報は、前記各物理資源要素の集合のうち基準信号がマッピングされる資源要素から時間軸で隣接した資源要素にマッピングされ、前記シーケンスは、前記マッピングされた第１の制御情報及び第３の制御情報を上書きしないようにマッピングされる。
【００２５】
望ましくは、前記シーケンスは、前記行列の最後の行から上側方向に移動しながらマッピングされ、前記第３の制御情報は、前記行列の１番目の行から下側方向にマッピングされ、前記第１の制御情報は、前記第２の制御情報がマッピングされる行のうち一番下側の行の次の行から下側方向にマッピングされる。
【００２６】
望ましくは、前記シーケンスは、前記行列の１番目の行から下側方向に移動しながらマッピングされ、前記第３の制御情報は、前記行列の最後の行から上側方向にマッピングされ、前記第１の制御情報は、前記第２の制御情報がマッピングされる行のうち一番上側の行の次の行から上側方向にマッピングされる。
【００２７】
望ましくは、前記シーケンスは、前記行列の最後の行から上側方向に移動しながらマッピングされ、前記第３の制御情報は、前記行列の１番目の行から下側方向にマッピングされ、前記第１の制御情報は、前記シーケンスの前記第２の制御情報がマッピングされる行のうち一番上側の列の次の行から上側方向にマッピングされる。
【００２８】
望ましくは、前記シーケンスは、前記行列の１番目の行から下側方向に移動しながらマッピングされ、前記第３の制御情報は、前記行列の最後の行から上側方向にマッピングされ、前記第１の制御情報は、前記シーケンスの前記第２の制御情報がマッピングされる行のうち一番下側の行の次の行から下側方向にマッピングされる。
【００２９】
望ましくは、前記シーケンスは、前記行列の最後の行から上側方向に移動しながらマッピングされ、前記第３の制御情報は、前記行列の１番目の行から下側方向に１行ずつスキップしながらマッピングされ、前記第１の制御情報は、前記行列の２番目の行から下側方向に１行ずつスキップしながらマッピングされる。
【００３０】
望ましくは、前記シーケンスは、前記行列の最後の行から上側方向に移動しながらマッピングされ、前記第１の制御情報は、前記行列の１番目の行から下側方向に１行ずつスキップしながらマッピングされ、前記第３の制御情報は、前記行列の２番目の行から下側方向に１行ずつスキップしながらマッピングされる。
【００３１】
望ましくは、前記シーケンス、前記第１の制御情報及び前記第３の制御情報うち一つ以上は、それぞれの行内で右側の列から左側方向に移動しながらマッピングされたり、左側の列から右側方向に移動しながらマッピングされたり、又は特定順序によってマッピングされ、前記シーケンス、前記第１の制御情報及び前記第３の制御情報のうち前記一つ以上を除いた残りは、それぞれの行内で左側の列から右側方向に移動しながらマッピングされたり、右側の列から左側方向に移動しながらマッピングされたり、又は特定順序によってマッピングされる。
【００３２】
望ましくは、前記各物理資源要素の集合は、Ｃ個のシンボル区間及びＲ個の副搬送波で構成され、前記Ｃ個のシンボル区間の全体長さは、２個のスロットで構成される一つのサブフレームの長さと同一であり、前記基準信号は、前記Ｃ個のシンボル区間のうち互いに隣接しない２個のシンボル区間にマッピングされ、前記２個のシンボル区間は、前記２個のスロットにそれぞれ一つずつ割り当てられ、前記行列は（Ｃ−２）個の列及びＲ個の行で構成され、前記行列の各要素は、前記各物理資源要素の集合のうち前記２個のシンボル区間を除いた領域の各資源要素に１対１に対応し、前記多重化方法は、前記マッピングする段階以前に、前記第２の制御情報以後に前記データ情報が配列されるように、前記第２の制御情報と前記データ情報を配列して前記シーケンスを形成することをさらに含むことができる。
【００３３】
望ましくは、前記第１の制御情報はＲＩに関する情報であり、前記第２の制御情報はＣＱＩ及びＰＭＩのうち以上を含む情報であり、前記第３の制御情報は、ＨＡＲＱの応答であるＡＣＫに関する情報である。
本発明は、例えば、以下の項目も提供する。
（項目１）
無線移動通信システムでＵＬ―ＳＣＨの符号化されたビットであるデータ情報及び複数の制御情報を多重化する方法であって、
（ａ）ランク情報で構成された第１のベクトルシーケンスを、前記データ情報及び複数の制御情報を多重化するための行列の最後の行から上側方向に移動しながら前記行列のうち第１のセットの４個の列に記録し、
（ｂ）ＣＱＩ／ＰＭＩ情報及び前記データ情報が多重化されて生成される第２のベクトルシーケンスを、行「０」から下側方向に移動しながら、そして、それぞれの行内では列「０」から右側方向に移動しながら、既に占有された行列要素をスキップしながら記録し、
（ｃ）ＨＡＲＱ―ＡＣＫ情報で構成された第３のベクトルシーケンスを、前記行列の最後の行から上側方向に移動しながら前記行列のうち前記第１のセットの４個の列とは異なる第２のセットの４個の列に記録することを含む多重化方法。
（項目２）
前記第１のベクトルシーケンス、前記第２のベクトルシーケンス及び前記第３のベクトルシーケンスの各ベクトル要素は、Ｑｍ個のビットで構成され、
前記第１のベクトルシーケンス、前記第２のベクトルシーケンス及び前記第３のベクトルシーケンスの各ベクトル要素は、前記行列の該当列で一つのセットのＱｍ行に記録され、
前記行列の列の個数は、一つのサブフレーム内でＰＵＳＣＨ伝送のためのＳＣ―ＦＤＭＡシンボルの個数と同一である、項目１に記載の多重化方法。
（項目３）
前記データ情報及び複数の制御情報が標準ＣＰ構成によって伝送される場合、前記第１のセットの４個の列に対応する列インデックスは「１」、「４」、「７」及び「１０」で、前記第２のセットの４個の列に対応する列インデックスは「２」、「３」、「８」及び「９」である、項目２に記載の多重化方法。
（項目４）
それぞれの行内で、前記第１のベクトルシーケンスは、前記第１のセットの４個の列で列インデックス「１」、「１０」、「４」、「７」の順に記録され、前記第３のベクトルシーケンスは、前記第２のセットの４個の列で列インデックス「２」、「９」、「８」、「３」の順に記録される、項目３に記載の多重化方法。
（項目５）
前記データ情報及び複数の制御情報が拡張ＣＰ構成によって伝送される場合、前記第１のセットの４個の列に対応する列インデックスは「０」、「３」、「５」及び「８」で、前記第２のセットの４個の列に対応する列インデックスは「１」、「２」、「６」及び「７」である、項目２に記載の多重化方法。
（項目６）
それぞれの行内で、前記第１のベクトルシーケンスは、前記第１のセットの４個の列で列インデックス「０」、「８」、「５」、「３」の順に記録され、前記第３のベクトルシーケンスは、前記第２のセットの４個の列で列インデックス「１」、「７」、「６」、「２」の順に記録される、項目５に記載の多重化方法。
（項目７）
ＱＰＳＫが使用される場合には前記Ｑｍ＝２で、１６ＱＡＭが使用される場合には前記Ｑｍ＝４で、６４ＱＡＭが使用される場合には前記Ｑｍ＝６である、項目４又は６に記載の多重化方法。
（項目８）
前記行列の要素の総個数は、ＵＬ―ＳＣＨデータとＣＱＩ／ＰＭＩデータに対して割り当てられた符号化されたビットの総個数（Ｈ）と、符号化された全てのＲＩブロックに対して割り当てられた符号化されたビットの総個数（ＱＲＩ）との和と同一である、項目７に記載の多重化方法。
（項目９）
前記段階（ａ）は、前記データ情報と前記ランク情報が伝送されるサブフレームのみで行われ、
前記段階（ｃ）は、前記データ情報と前記ＨＡＲＱ―ＡＣＫ情報が伝送されるサブフレームのみで行われる、項目８に記載の多重化方法。
（項目１０）
前記第１のベクトルシーケンス、前記第２のベクトルシーケンス及び前記第３のベクトルシーケンスのそれぞれのベクトル要素は、ベクトルインデックス「０」からベクトルインデックス順序が増加する方法で順次記録される、項目９に記載の多重化方法。
（項目１１）
前記行列から列単位で出力されるビットシーケンスは、資源要素マッピング部に入力されるシンボルを生成するために使用される、項目１０に記載の多重化方法。
（項目１２）
ＣＱＩ／ＰＭＩ情報及びＵＬ―ＳＣＨの符号化されたビットであるデータ情報を多重化するデータ―制御多重化部と、
ランク情報で構成された第１のベクトルシーケンス、前記データ―制御多重化部から出力される第２のベクトルシーケンス、及びＨＡＲＱ―ＡＣＫ情報で構成された第３のベクトルシーケンスを多重化するための行列を生成するチャンネルインタリーバと、を含み、
前記チャンネルインタリーバは、
（ａ）前記第１のベクトルシーケンスを、前記行列の最後の行から上側方向に移動しながら前記行列のうち第１のセットの４個の列に記録し、
（ｂ）前記第２のベクトルシーケンスを、行「０」から下側方向に移動しながら、そして、それぞれの行内では列「０」から右側方向に移動しながら、既に占有された行列要素をスキップしながら記録し、
（ｃ）ＨＡＲＱ―ＡＣＫ情報で構成された第３のベクトルシーケンスを、前記行列の最後の行から上側方向に移動しながら前記行列のうち前記第１のセットの４個の列とは異なる第２のセットの４個の列に記録するようになっている、広帯域無線移動通信装置。
（項目１３）
前記第１のベクトルシーケンス、前記第２のベクトルシーケンス及び前記第３のベクトルシーケンスのそれぞれのベクトル要素は、Ｑｍ個のビットで構成され、
前記第１のベクトルシーケンス、前記第２のベクトルシーケンス及び前記第３のベクトルシーケンスのそれぞれのベクトル要素は、前記行列の該当列で一つのセットのＱｍ行に記録され、
前記行列の列の個数は、一つのサブフレーム内でＰＵＳＣＨ伝送のためのＳＣ―ＦＤＭＡシンボルの個数と同一である、項目１２に記載の広帯域無線移動通信装置。
（項目１４）
前記データ情報及び複数の制御情報が標準ＣＰ構成によって伝送される場合、前記第１のセットの４個の列に対応する列インデックスは「１」、「４」、「７」及び「１０」で、前記第２のセットの４個の列に対応する列インデックスは「２」、「３」、「８」及び「９」である、項目１３に記載の広帯域無線移動通信装置。
（項目１５）
それぞれの行内で、前記第１のベクトルシーケンスは、前記第１のセットの４個の列で列インデックス「１」、「１０」、「４」、「７」の順に記録され、前記第３のベクトルシーケンスは、前記第２のセットの４個の列で列インデックス「２」、「９」、「８」、「３」の順に記録される、項目１４に記載の広帯域無線移動通信装置。
（項目１６）
前記データ情報及び複数の制御情報が拡張ＣＰ構成によって伝送される場合、前記第１のセットの４個の列に対応する列インデックスは「０」、「３」、「５」及び「８」で、前記第２のセットの４個の列に対応する列インデックスは「１」、「２」、「６」及び「７」である、項目１３に記載の広帯域無線移動通信装置。
（項目１７）
前記第１のベクトルシーケンスは、それぞれの行内で列インデックス「０」、「８」、「５」、「３」の順に記録され、前記第３のベクトルシーケンスは、それぞれの行内で列インデックス「１」、「７」、「６」、「２」の順に記録される、項目１６に記載の広帯域無線移動通信装置。
（項目１８）
ＱＰＳＫが使用される場合には前記Ｑｍ＝２で、１６ＱＡＭが使用される場合には前記Ｑｍ＝４で、６４ＱＡＭが使用される場合には前記Ｑｍ＝６である、項目１５又は１７に記載の広帯域無線移動通信装置。
（項目１９）
前記行列の要素の総個数は、ＵＬ―ＳＣＨデータとＣＱＩ／ＰＭＩデータに対して割り当てられた符号化されたビットの総個数（Ｈ）と、符号化された全てのＲＩブロックに対して割り当てられた符号化されたビットの総個数（ＱＲＩ）との和と同一である、項目１８に記載の広帯域無線移動通信装置。
（項目２０）
前記段階（ａ）は、前記データ情報とランク情報が伝送されるサブフレームのみで行われ、
前記段階（ｃ）は、前記データ情報と前記ＨＡＲＱ―ＡＣＫ情報が伝送されるサブフレームのみで行われる、項目１９に記載の広帯域無線移動通信装置。
（項目２１）
前記第１のベクトルシーケンス、前記第２のベクトルシーケンス及び前記第３のベクトルシーケンスのそれぞれのベクトル要素は、ベクトルインデックス「０」からベクトルインデックス順序が増加する方向に順次記録される、項目２０に記載の広帯域無線移動通信装置。
（項目２２）
前記行列から列単位で出力されるビットシーケンスは、資源要素マッピング部に入力されるシンボルを生成するために使用される、項目２１に記載の広帯域無線移動通信装置。
【発明の効果】
【００３４】
本発明によってデータと制御情報を多重化してマッピングするにおいて、制御情報の有無及び種類を考慮した一定の多重化及びマッピング規則が提供される。
【図面の簡単な説明】
【００３５】
【図１】伝送チャンネル及び／又は制御情報に対する処理過程を示す図である。
【図２】３ＧＰＰのＵＬ―ＳＣＨに対する伝送チャンネル処理過程の一実施例を示す図である。
【図３ａ】本発明の図７〜図１３による実施例を説明するために共通的に使用される用語を定義するための図である。
【図３ｂ】本発明の図７〜図１３による実施例を説明するために共通的に使用される用語を定義するための図である。
【図４ａ】本発明の図７〜図１３による実施例を説明するために共通的に使用される用語を定義するための図である。
【図４ｂ】本発明の図７〜図１３による実施例を説明するために共通的に使用される用語を定義するための図である。
【図５ａ】本発明の図７〜図１３による実施例を説明するために共通的に使用される用語を定義するための図である。
【図５ｂ】本発明の図７〜図１３による実施例を説明するために共通的に使用される用語を定義するための図である。
【図５ｃ】本発明の図７〜図１３による実施例を説明するために共通的に使用される用語を定義するための図である。
【図６ａ】本発明の図７〜図１３による実施例を説明するために共通的に使用される用語を定義するための図である。
【図６ｂ】本発明の図７〜図１３による実施例を説明するために共通的に使用される用語を定義するための図である。
【図７】本発明の一実施例に係るデータ情報及び制御情報を各資源要素の集合上に多重化してマッピングする方法を示す図である。
【図８】本発明の他の実施例に係るデータ情報及び制御情報を各資源要素の集合上に多重化してマッピングする方法を示す図である。
【図９】本発明の更に他の実施例に係るデータ情報及び制御情報を各資源要素の集合上に多重化してマッピングする方法を示す図である。
【図１０】本発明の更に他の実施例に係るデータ情報及び制御情報を各資源要素の集合上に多重化してマッピングする方法を示す図である。
【図１１】本発明の更に他の実施例に係るデータ情報及び制御情報を各資源要素の集合上に多重化してマッピングする方法を示す図である。
【図１２】本発明の更に他の実施例に係るデータ情報及び制御情報を各資源要素の集合上に多重化してマッピングする方法を示す図である。
【図１３】本発明の更に他の実施例に係るデータ情報及び制御情報を各資源要素の集合上に多重化してマッピングする方法を示す図である。
【図１４ａ】標準ＣＰが使用される一実施例及び拡張ＣＰが使用される一実施例による構成を示す図である。
【図１４ｂ】標準ＣＰが使用される一実施例及び拡張ＣＰが使用される一実施例による構成を示す図である。
【図１５ａ】拡張ＣＰでの例示的な構造を示す図である。
【図１５ｂ】拡張ＣＰでの例示的な構造を示す図である。
【図１６】それぞれ標準ＣＰ及び拡張ＣＰの場合、一つのサブフレーム内でＳＲＳ及びＲＳが割り当てられる位置の一例を示す図である。
【図１７】それぞれ標準ＣＰ及び拡張ＣＰの場合、一つのサブフレーム内でＳＲＳ及びＲＳが割り当てられる位置の一例を示す図である。
【図１８ａ】一つの副搬送波内で制御情報２及び／又は制御情報３が時間方向にマッピングされる順序を示す図である。
【図１８ｂ】一つの副搬送波内で制御情報２及び／又は制御情報３が時間方向にマッピングされる順序を示す図である。
【図１８ｃ】一つの副搬送波内で制御情報２及び／又は制御情報３が時間方向にマッピングされる順序を示す図である。
【図１８ｄ】一つの副搬送波内で制御情報２及び／又は制御情報３が時間方向にマッピングされる順序を示す図である。
【図１８ｅ】一つの副搬送波内で制御情報２及び／又は制御情報３が時間方向にマッピングされる順序を示す図である。
【図１８ｆ】一つの副搬送波内で制御情報２及び／又は制御情報３が時間方向にマッピングされる順序を示す図である。
【図１９ａ】図１８の方法をより詳細に説明するための図で、図１８による方法をＣ＊Ｒの行列構造を有する各資源要素の集合に適用した例を示す図である。
【図１９ｂ】図１８の方法をより詳細に説明するための図で、図１８による方法をＣ＊Ｒの行列構造を有する各資源要素の集合に適用した例を示す図である。
【図２０ａ】図１８の方法をより詳細に説明するための図で、図１８による方法をＣ＊Ｒの行列構造を有する各資源要素の集合に適用した例を示す図である。
【図２０ｂ】図１８の方法をより詳細に説明するための図で、図１８による方法をＣ＊Ｒの行列構造を有する各資源要素の集合に適用した例を示す図である。
【図２１ａ】図１８の方法をより詳細に説明するための図で、図１８による方法をＣ＊Ｒの行列構造を有する各資源要素の集合に適用した例を示す図である。
【図２１ｂ】図１８の方法をより詳細に説明するための図で、図１８による方法をＣ＊Ｒの行列構造を有する各資源要素の集合に適用した例を示す図である。
【図２２】本発明の一実施例に係るＵＬ―ＳＣＨ伝送チャンネルのための処理構造を示す図である。
【発明を実施するための形態】
【００３６】
以下、本発明に係る好適な各実施形態を添付の図面を参照して詳細に説明する。添付の図面と共に以下で開始する詳細な説明は、本発明の例示的な実施形態を説明するためのもので、本発明が実施される唯一の実施形態を表すものではない。以下の詳細な説明は、本発明の完全な理解を促進するために具体的な詳細事項を含む。しかし、当業者であれば、本発明がこのような具体的な詳細事項なしにも実施可能であることを理解するだろう。例えば、以下では一定の用語を中心に説明するが、これら用語に限定される必要はなく、任意の用語として称される場合にも同一の意味を表すことができる。また、本明細書全般にわたって同一又は類似した構成要素については、同一の図面符号を使用して説明する。
【００３７】
以下の説明で使用される構成要素に対する接尾辞「モジュール」及び「部」は、単純に本明細書の作成の容易さのみを考慮して付与されるもので、それ自体が特別に重要な意味又は役割を与えることはない。したがって、前記「モジュール」及び「部」は、互いに混用して使用可能であることを留意しなければならない。
【００３８】
実際の具現において、ブロック図上の各構成要素が二つ以上のハードウェアチップに分けられて構成されたり、二つ以上の構成要素が一つのハードウェアチップに統合されて構成される。
【００３９】
以下で説明する本発明による実施例は、３ＧＰＰの伝送チャンネル、特に、ＵＬ―ＳＣＨに対する伝送チャンネル処理のために使用される。
【００４０】
制御情報は様々な種類に分類される。このとき、制御情報は、任意に分類したり、又はその「重要度」を基準にして分類することができる。ここで、「重要度」は、いずれかのタイプの制御情報の伝送に失敗する場合、無線移動通信システムの性能に及ぶ影響の程度を評価することによって決定される。複数種類の制御情報が存在するとき、無線移動通信システムの性能を向上させるための新しい多重化方式が要求される。例えば、より重要なタイプの制御情報は、それより重要でないタイプの制御情報によって上書きされない方式で多重化される。
【００４１】
本発明において、制御情報１は、例えば、チャンネルの品質を示す情報であるＣＱＩ（Ｃｈａｎｎｅｌ  Ｑｕａｌｉｔｙ  ｉｎｆｏｒｍａｔｉｏｎ）とプリコーディングに使用されるコードブックのインデックス情報であるＰＭＩ（Ｐｒｅｃｏｄｉｎｇ  Ｍａｔｒｉｘ  Ｉｎｄｅｘ）との組み合わせであるＣＱＩ／ＰＭＩである。この制御情報１は、レートマッチングによってデータ情報と多重化される。本発明において、制御情報２は、例えば、ＨＡＲＱ応答であるＡＣＫ／ＮＡＣＫ（ＡＣＫｎｏｗｌｅｄｇｅｍｅｎｔ／Ｎｅｇａｔｉｖｅ  ＡＣＫｎｏｗｌｅｄｇｅｍｅｎｔ）である。この制御情報２は、データ情報又は制御情報１をパンクチャリングすることによって多重化される。本発明において、制御情報３は、例えば、伝送ストリームの個数を示す情報であるＲＩ（Ｒａｎｋ  Ｉｎｄｉｃａｔｉｏｎ又はＲａｎｋ  Ｉｎｆｏｒｍａｔｉｏｎ）である。この制御情報３は、データ情報又は制御情報１をパンクチャリングしたり、データ情報及び／又は制御情報１とのレートマッチングによって多重化される。
【００４２】
本発明で提示する各実施例は、各資源要素で構成された集合上の周波数軸及び時間軸に対して上下左右反対の構造に変形されて適用される。以下、本発明の実施例において、シンボルはＳＣ―ＦＤＭＡシンボルである。
【００４３】
本発明において、「パンクチャリング」という用語は、多数のビット（又はシンボル）からなるシーケンスから特定ビット（又はシンボル）を取り除き、このシーケンスに新しいビット（又はシンボル）を挿入する処理を称する。すなわち、情報の一部を他の情報に取り替えることを意味し、データ情報又は制御情報が多重化されるとき、パンクチャリングされた情報のビット（又はシンボル）が、パンクチャリングする情報に取り替えられることを意味する。パンクチャリング方法を使用する場合、新しい情報を挿入するとしても全体のビット（又はシンボル）の長さはそのまま維持される。また、パンクチャリングされた情報の符号化率はパンクチャリングによって影響を受ける。
【００４４】
本発明において、「レートマッチング」という用語は、データ情報の符号化率を調節することを意味する。データ情報又は制御情報が多重化されるとき、各情報の位置が変更されることはあっても、情報の内容自体には影響を与えない。ここで、制御情報１とデータ情報の「レートマッチング」は、レートマッチングが行われる制御情報及びデータ情報を合わせた量が一定の大きさを有することを意味する。したがって、伝送されなければならない制御情報１の量が増加する場合、制御情報１とのレートマッチングが行われるデータ情報の量はその分だけ減少するようになる。
【００４５】
伝送ブロックが多数のコードブロックに分割されて伝送される場合、受信側では、０番のコードブロック（ｃｏｄｅ  ｂｌｏｃｋ  Ｎｏ．０）から順に復号化することができる。このとき、上述したように、制御情報を用いてデータ情報の最後のコードブロックからパンクチャリングするようになれば、伝送環境及び符号化率のために最後のコードブロックのみにエラーが発生しうるが、この場合、エラー検出が遅延され、各コードブロックをデコーディングするのに多くの電力が消耗される。このとき、データをパンクチャリングする制御情報が存在する場合、前方のコードブロックからパンクチャリングを進行することによって、復号化過程での早期終了が可能になる。
【００４６】
図１のコードブロック分割部から出力される多数のコードブロックはそれぞれ互いに異なる大きさを有するが、このうち、前方のコードブロックが後方のコードブロックに比べて小さい大きさを有することができる。このとき、大きさが互いに異なるそれぞれのコードブロックが同一の大きさを有するように、図１のレートマッチング部でそれぞれのコードブロックのレートマッチングが行われる。その結果、相対的に短い長さを有する前方のコードブロックは、長い長さを有する後方のコードブロックに比べて低い符号化率値を有するようになる。したがって、各コードブロックが制御情報によってパンクチャリングされる場合、前方のコードブロックは、後方のコードブロックに比べてパンクチャリングによる影響をより少なく受けるようになる。
【００４７】
本発明の図７〜図１２による実施例では、制御情報、例えば、制御情報２によってデータ情報をパンクチャリングする場合、１番目のコードブロックからパンクチャリングする。その結果、相対的に１番目のコードブロックにエラーが発生しうる確率が大きくなる。１番目のコードブロックでエラーが発生する場合、伝送エラーの発生有無を早期に判断することができるので、各コードブロックのデコーディングに消耗される電力を低下させることができる。また、既存の方法に比べて、パンクチャリングがデータ情報に及ぶ影響が相対的に減少するという長所がある。
【００４８】
図３ａ〜図６は、本発明の図７〜図１３による実施例を説明するために、この出願書で共通的に使用される用語を定義するための図である。
【００４９】
以下で説明する図３ａ〜図１３に示した各資源要素の集合は、標準ＣＰの構成を前提にしたもので、説明の便宜上、Ｒ＊Ｃ＝Ｍ個の資源要素で構成されると仮定する。ここで、「Ｃ」は時間軸方向に配列される「シンボル区間」の個数を示し、「Ｒ」は仮想周波数方向に配列されるＲ個の「副搬送波」の個数を示す。ここで、「シンボル区間」は、一つのシンボルが存在する時区間を意味し、一つのシンボル区間の長さは一つのシンボルの長さと同一である。
【００５０】
以下、説明の便宜上、各資源要素の集合の全体領域で、上方から１番目の列に位置した副搬送波を「副搬送波０」と定義し、最後の列に位置した副搬送波を「副搬送波Ｒ−１」と定義する。すなわち、伝送帯域内の１番目の副搬送波は「副搬送波０」と定義し、その下方に順次「副搬送波１」、「副搬送波２」などと定義し、最後の副搬送波を「副搬送波Ｒ−１」と定義することができる。
【００５１】
以下、図３ａ、図３ｂ、図４ａ及び図４ｂは、本発明の実施例を説明するために使用される用語を定義するための図である。本文献において、「１番目の副搬送波」及び「最後の副搬送波」という用語は、特定時間―周波数領域（以下、「領域Ａ」という。）と関連して使用される。この領域Ａは、全体の資源要素の集合の一部又は全部である。領域Ａは、全体の資源要素の集合内の任意の領域を示し、領域Ａ内の各資源要素は、図４ｂに示すように、時間又は周波数上で互いに離隔している。領域Ａの「１番目の副搬送波」は、領域Ａのうち一番上に位置する列の副搬送波を意味し、領域Ａの「最後の副搬送波」は、領域Ａのうち一番下に位置する列の副搬送波を意味する。また、「１番目の資源要素」（「Ｆ」）及び「最後の資源要素」（「Ｌ」）は領域Ａと関連して使用される。すなわち、領域Ａの「１番目の資源要素」は、領域Ａの１番目の副搬送波のうち時間的に一番先の資源要素、すなわち、一番左側の行に位置する資源要素を称し、領域Ａの「最後の資源要素」は、領域Ａの最後の副搬送波のうち時間的に一番後に位置する資源要素、すなわち、一番右側の行に位置する資源要素を称する。また、一つの副搬送波内で１番目の資源要素は、その副搬送波内で時間的に一番先の資源要素を称し、最後の資源要素は、その副搬送波内で時間的に一番後に位置する資源要素を称する。
【００５２】
図５ａを参照すれば、ＲＳ（ｒｅｆｅｒｅｎｃｅ  ｓｉｇｎａｌ）は、互いに隣接しない「ＲＳシンボル区間（０）」及び「ＲＳシンボル区間（１）」で構成される「ＲＳシンボル区間」にマッピングされる。ここで、「ＲＳシンボル区間（０）」及び「ＲＳシンボル区間（１）」は互いに隣接していない。
【００５３】
以下、「ＲＳシンボル区間」で定義される「ＲＳシンボル区間領域」を説明する。「ＲＳシンボル区間領域」は、ＲＳシンボル区間に位置した２＊Ｒ個の資源要素を含む領域である。「ＲＳシンボル区間領域」は、再び「ＲＳシンボル区間領域（０）」及び「ＲＳシンボル区間領域（１）」に分けて定義することができる。「ＲＳシンボル区間領域（０）」及び「ＲＳシンボル区間領域（１）」は、それぞれ周波数方向にＲ個の資源要素を有する。
【００５４】
図５ｂを参照すれば、「第１のシンボル区間」は、ＲＳシンボル区間で０個のシンボル区間だけ離隔している４個のシンボル区間と定義される。「第１のシンボル区間領域」は、第１のシンボル区間に位置した４＊Ｒ個の資源要素を含む領域である。したがって、図３ａ〜図６において、「第１のシンボル区間領域」は、「第１のシンボル区間領域（０）」、「第１のシンボル区間領域（１）」、「第１のシンボル区間領域（２）」及び「第１のシンボル区間領域（３）」に再び分けて定義することができる。
【００５５】
図５ｃを参照すれば、「第２のシンボル区間」は、ＲＳシンボル区間で一つのシンボル区間だけ離隔している４個のシンボル区間と定義される。「第２のシンボル区間領域」は、第２のシンボル区間に位置した４＊Ｒ個の資源要素を含む領域である。したがって、図３ａ〜図６において、「第２のシンボル区間領域」は、「第２のシンボル区間領域（０）」、「第２のシンボル区間領域（１）」、「第２のシンボル区間領域（２）」及び「第２のシンボル区間領域（３）」に再び分けて定義することができる。
【００５６】
図３ａ〜図１３に示したＲＳシンボル区間は、必ずしも４番目及び１１番目のシンボル区間に位置するものではない。
【００５７】
上述した「ＲＳシンボル区間領域」、「第１のシンボル区間領域」及び「第２のシンボル区間領域」は、それぞれ上述した「領域Ａ」の一例として見なされる。
【００５８】
本発明において、「順方向マッピング順序」という用語は、上述した領域Ａと関連して使用される。領域Ａ内の特定資源要素から「順方向マッピング順序」によってマッピングされるのは、領域Ａ内で、上述した特定資源要素が属した副搬送波からその下方の順にマッピングし、各副搬送波内では時間の流れに沿ってマッピングする、すなわち、左側の行から右側の行の方向の順にマッピングする２次元マッピング方法を意味する。例えば、図３ａに示した全体領域の１番目の資源要素から順方向マッピング順序によってマッピングするようになれば、副搬送波０から副搬送波Ｎ−１の順に矢印（点線）の方向に沿ってマッピングするようになる（図６ａを参照）。その一方、「逆方向マッピング順序」という用語は、上述した順方向マッピング順序とは反対の順にマッピングする方法を意味する。すなわち、領域Ａ内の特定資源要素から「逆方向マッピング順序」によってマッピングされるのは、領域Ａ内で、上述した特定資源要素が属した副搬送波からその上側方向の順にマッピングし、各副搬送波内では時間の流れに逆らってマッピングする、すなわち、右側の行から左側の行の方向の順にマッピングする２次元マッピング方法を意味する。例えば、図３ａに示した全体領域の最後の１番目の資源要素から逆方向マッピング順序によってマッピングするようになれば、副搬送波Ｎ−１から副搬送波０の順に矢印（点線）の方向に沿ってマッピングするようになる（図６ｂを参照）。
【００５９】
以下で説明する図３ａ〜図１３に示した各資源要素の集合は、標準ＣＰの構成を前提にしたものであるが、１２個のシンボルで構成される拡張ＣＰの構成を前提にするとしても、同一の方式で説明されることを理解することができる。
【００６０】
＜第１の実施例＞
図７は、本発明の一実施例に係るデータ情報及び制御情報を各資源要素の集合上に多重化してマッピングする方法を示す図である。
【００６１】
図７を参照すれば、制御情報１は、時間軸（シンボル軸）方向にマッピングされ、制御情報２は、ＲＳがマッピングされるシンボルのすぐ横のシンボルに対応する資源要素にマッピングされる。すなわち、上述した第１のシンボル区間領域にマッピングされる。
【００６２】
制御情報１は、図７に示した全体領域内で、ＲＳがマッピングされる資源要素を除いて、最後の資源要素を含む連続的な一つ以上の資源要素にマッピングされる。このとき、制御情報１は（１）→（２）の順にマッピングされる。すなわち、制御情報１がマッピングされる領域の１番目の資源要素から順方向マッピング順序によってマッピングされる。一方、制御情報１は、（２）→（１）の順にマッピングされることもある。すなわち、制御情報１がマッピングされる領域の最後の資源要素から逆方向マッピング順序によってマッピングされる。
【００６３】
制御情報２は、ＲＳがマッピングされる資源要素の直前又は直後に位置する資源要素にマッピングされる。例えば、ＲＳがマッピングされた位置がｊ番目の資源要素である場合、制御情報２はｊ−１番目の資源要素及びｊ＋１番目の資源要素にマッピングされる。このとき、制御情報２は、第１のシンボル区間領域で順方向に、逆方向に、又は特定マッピング順序によってマッピングされる。
【００６４】
上述した方法は、図７の各資源要素の集合で上下左右対称に変形される。すなわち、制御情報１は、図７に示した全体領域内で、ＲＳがマッピングされる資源要素を除いて、１番目の資源要素を含む連続的な一つ以上の資源要素にマッピングされる。このとき、順方向マッピング順序又は逆方向マッピング順序によってマッピングされる。そして、制御情報２は、第１のシンボル区間領域にマッピングされ、第１のシンボル区間領域で順方向に、逆方向に、又は特定マッピング順序によってマッピングされる。
【００６５】
図７において、制御情報１はデータ情報をパンクチャリングしない。すなわち、制御情報１とデータ情報のレートマッチングが行われる。また、互いに異なる特性の制御情報が連接された形態で構成される。制御情報２は、第１のシンボル区間領域でデータ情報及び／又は制御情報１をパンクチャリングすることができる。また、制御情報２のシンボルの個数が第１のシンボル区間領域の資源要素の個数より多い場合、制御情報２は、第１のシンボル区間領域外にマッピングされた制御情報１をパンクチャリングすることができる。
【００６６】
＜第２の実施例＞
図８は、本発明の他の実施例に係るデータ情報及び制御情報を各資源要素の集合上に多重化してマッピングする方法を示す図である。
【００６７】
図８において、制御情報１は、図７の方法と同一の方法でマッピングされ、制御情報２と制御情報３は、第１のシンボル区間領域にマッピングされる。制御情報２は、第１のシンボル区間領域で順方向に、逆方向に、又は特定マッピング順序によってマッピングされる。制御情報３は、第１のシンボル区間領域のうち制御情報２がマッピングされた部分を除いた残りの領域で順方向に、逆方向に、又は特定マッピング順序によってマッピングされる。制御情報３が存在しない場合、図８による方法は図７による方法と同一になる。
【００６８】
図８において、制御情報１は、データ情報をパンクチャリングしない。換言すれば、制御情報１とデータ情報のレートマッチングが行われる。互いに異なる特性の制御情報が連接された形態で構成される。制御情報２及び／又は制御情報３は、第１のシンボル区間領域でデータ情報及び／又は制御情報１をパンクチャリングすることができる。また、制御情報２のシンボルと制御情報３のシンボルの個数の和が第１のシンボル区間領域の資源要素の個数より多い場合、制御情報２及び／又は制御情報３は、第１のシンボル区間領域外でも制御情報１をパンクチャリングすることができる。また、制御情報２及び／又は制御情報３は、データ情報に対するレートマッチングによって確保した資源要素を通して伝送される。
【００６９】
制御情報２のシンボルと制御情報３のシンボルの個数の和が第１のシンボル区間領域に属した資源要素の個数より多い場合、制御情報２及び制御情報３のうち優先順位がより高い制御情報は、優先順位がより低い制御情報の代わりにマッピングされる。換言すれば、優先順位がより高い制御情報が先に第１のシンボル区間領域に全てマッピングされ、優先順位がより低い制御情報のうちＮ個が第１のシンボル区間領域にマッピングされる。ここで、Ｎ個は、第１のシンボル区間領域の資源要素の個数から優先順位がより高い制御情報がマッピングされる資源要素の個数を引き算した値である。例えば、制御情報２の優先順位が制御情報３の優先順位より高い場合、制御情報２がいずれも先に第１のシンボル区間領域にマッピングされ、第１のシンボル区間領域のうち残っている資源要素に制御情報３がマッピングされる。したがって、制御情報３のうち一部は第１のシンボル区間領域にマッピングされないことがある。
【００７０】
上述した図８による方法は、図７を参照して説明したように、図８の各資源要素の集合で上下左右対称に変形される。すなわち、制御情報１は、全体の資源要素の集合内で、ＲＳがマッピングされる資源要素を除いて、１番目の資源要素を含む連続的な一つ以上の資源要素にマッピングされる。このとき、制御情報１は、順方向マッピング順序又は逆方向マッピング順序によってマッピングされる。制御情報２は、第１のシンボル区間領域で順方向に、逆方向に、又は特定マッピング順序によってマッピングされる。制御情報３は、制御情報２がマッピングされた最後の資源要素の次の資源要素から順方向に、逆方向に、又は特定マッピング順序によってマッピングされる。
【００７１】
＜実施例３＞
図９は、本発明の更に他の実施例に係るデータ情報及び制御情報を各資源要素の集合上に多重化してマッピングする方法を示す図である。
【００７２】
図９において、制御情報１は、図７による方法と同一の方法によってマッピングされる。制御情報２及び制御情報３は、第１のシンボル区間領域の資源要素にマッピングされる。制御情報２は、第１のシンボル区間領域内で順方向に、逆方向に、又は特定マッピング順序によってマッピングされる。制御情報３は、第１のシンボル区間領域のうち制御情報１がマッピングされた領域を除いた残りの領域で順方向に、逆方向に、又は特定マッピング順序によってマッピングされる。制御情報２が存在しない場合、制御情報１と制御情報３は、図９で制御情報２が脱落した状態でマッピングされる。また、制御情報３が存在しない場合、制御情報１と制御情報２は、図９で制御情報３が脱落した状態でマッピングされる。
【００７３】
図９において、制御情報１はデータ情報をパンクチャリングしない。すなわち、制御情報１とデータ情報のレートマッチングが行われる。また、互いに異なる特性の制御情報が連接された形態で構成される。制御情報２及び／又は制御情報３は、第１のシンボル区間領域でデータ情報及び／又は制御情報１をパンクチャリングすることができる。また、制御情報２のシンボルの個数と制御情報３のシンボルの個数の和が第１のシンボル区間領域の資源要素の個数より多い場合、制御情報２及び／又は制御情報３は、第１のシンボル区間領域外にマッピングされた制御情報１をパンクチャリングすることができる。また、制御情報２及び／又は制御情報３は、データ情報に対するレートマッチングによって確保した資源要素を通して伝送される。
【００７４】
制御情報２と制御情報３のシンボルの個数の和が第１のシンボル区間領域に属した資源要素の個数より多い場合、制御情報２及び制御情報３のうち優先順位がより高い制御情報は、優先順位がより低い制御情報の代わりにマッピングされる。これは、図８を参照して説明した通りである。
【００７５】
上述した図９による方法は、図７を参照して説明したように、図９の各資源要素の集合で上下左右対称に変形される。すなわち、制御情報１は、全体の資源要素の集合内で、ＲＳがマッピングされる資源要素を除いて、１番目の資源要素を含む連続的な一つ以上の資源要素にマッピングされる。このとき、制御情報１は、順方向マッピング順序又は逆方向マッピング順序によってマッピングされる。制御情報２は、第１のシンボル区間領域で順方向に、逆方向に、又は特定マッピング順序によってマッピングされる。制御情報３は、第１のシンボル区間領域のうち制御情報１がマッピングされた領域を除いた領域で順方向に、逆方向に、又は特定マッピング順序によってマッピングされる。
【００７６】
＜実施例４＞
図１０及び図１１は、本発明の更に他の実施例に係るデータ情報及び制御情報を各資源要素の集合上に多重化してマッピングする方法を示す図である。
【００７７】
図１０において、制御情報１は、図７による方法と同一の方法によってマッピングされる。制御情報２及び制御情報３は、第１のシンボル区間領域にマッピングされる。制御情報２と制御情報３は、第１のシンボル区間領域内で、副搬送波単位で交互にマッピングされる。すなわち、図１０に示した全体領域の１番目の副搬送波の資源要素には制御情報２の４個のシンボルがマッピングされ、２番目の副搬送波の資源要素には制御情報３の４個のシンボルがマッピングされる。この過程を副搬送波単位で繰り返す。制御情報２を構成するシンボルの個数が制御情報３を構成するシンボルの個数より少ない場合を仮定すれば、制御情報２のシンボルが全てマッピングされた後、制御情報３のシンボルは、第１のシンボル区間領域内の残っている全ての副搬送波にマッピングされる。制御情報３を構成するシンボルの個数が制御情報２を構成するシンボルの個数より少ない場合も、同一の方式でマッピングすることができる。
【００７８】
一方、制御情報２は、上述したように、図１０に示した全体領域の１番目、３番目、５番目などの副搬送波に先にマッピングされ、その次に、制御情報３は、第１のシンボル区間領域内で制御情報２がマッピングされていない資源要素のみにマッピングされる。
【００７９】
図１０において、制御情報１はデータ情報をパンクチャリングしない。すなわち、制御情報１とデータ情報のレートマッチングが行われる。また、互いに異なる特性の制御情報が連接された形態で構成される。制御情報２及び／又は制御情報３は、第１のシンボル区間領域でデータ情報及び／又は制御情報１をパンクチャリングすることができる。また、制御情報２と制御情報３のシンボルの個数の和が第１のシンボル区間領域の資源要素の個数より多い場合、制御情報２及び／又は制御情報３は、第１のシンボル区間領域外でも制御情報１をパンクチャリングすることができる。また、制御情報２及び／又は制御情報３は、データ情報に対するレートマッチングによって確保した資源要素を通して伝送される。
【００８０】
制御情報２と制御情報３のシンボルの個数の和が第１のシンボル区間領域に属した資源要素の個数より多い場合、制御情報２及び制御情報３のうち優先順位がより高い制御情報は、優先順位がより低い制御情報の代わりにマッピングされる。これは、図８を参照して説明した通りである。
【００８１】
上述した図１０による方法は、図７を参照して説明したように、図１０の各資源要素の集合で上下左右対称に変形される。すなわち、制御情報１は、全体の資源要素の集合内で、ＲＳがマッピングされる資源要素を除いて、１番目の資源要素を含む連続的な一つ以上の資源要素にマッピングされる。制御情報２は、第１のシンボル区間領域内で、最後の副搬送波の最後の資源要素から逆方向マッピング順序によってマッピングされる。制御情報２と制御情報３は、第１のシンボル区間領域内で、副搬送波単位で交互にマッピングされる。すなわち、図１０に示した全体領域の最後の副搬送波には制御情報２の４個のシンボルがマッピングされ、最後から２番目の副搬送波には制御情報３の４個のシンボルがマッピングされ、この過程が副搬送波単位で繰り返される。
【００８２】
図１１は、図１０と比べたとき、制御情報２と制御情報３の位置が互いに変わった点を除いては図１０の方法と同一である。
【００８３】
＜実施例５＞
図１２は、本発明の更に他の実施例に係るデータ情報及び制御情報を各資源要素の集合上に多重化してマッピングする方法を示す図である。
【００８４】
図１２において、制御情報１は図７の方法と同一の方法でマッピングされ、制御情報２は第１のシンボル区間領域にマッピングされ、制御情報３はＲＳシンボル区間で一つのシンボル区間だけ離隔しているシンボル区間の資源要素にマッピングされる。すなわち、制御情報３は、上述した第２のシンボル区間領域にマッピングされる。制御情報２は、第１のシンボル区間領域で順方向に、逆方向に、又は特定マッピング順序によってマッピングされる。制御情報３は、第２のシンボル区間領域で順方向に、逆方向に、又は特定マッピング順序によってマッピングされる。制御情報３が存在しない場合、図１２による方法は図７による方法と同一になる。また、制御情報２が存在しない場合、制御情報１と制御情報３は図１２で制御情報２が脱落した状態でマッピングされ、制御情報３が存在しない場合、制御情報１と制御情報２は図１２で制御情報３が脱落した状態でマッピングされる。
【００８５】
このとき、制御情報３がパンクチャリングする方式で多重化される場合、制御情報３を第２のシンボル区間領域、すなわち、制御情報２がマッピングされる資源要素の横に位置する資源要素にマッピングすることによって、制御情報１がパンクチャリングされるのを減少させることができる。
【００８６】
図１２において、制御情報１はデータ情報をパンクチャリングしない。すなわち、制御情報１とデータ情報のレートマッチングが行われる。また、互いに異なる特性の制御情報が連接された形態で構成される。制御情報２は、第１のシンボル区間領域でデータ情報及び／又は制御情報１をパンクチャリングすることができる。制御情報３は、第２のシンボル区間領域でデータ情報及び／又は制御情報１をパンクチャリングすることができる。また、制御情報２及び／又は制御情報３は、データ情報に対するレートマッチングによって確保した資源要素を通して伝送されることもある。例えば、制御情報２は、データ情報及び制御情報１をパンクチャリングし、制御情報３とデータ情報及び／又は制御情報１のレートマッチングが行われ、制御情報３は、データ情報及び／又は制御情報１の間に挿入される形態でマッピングされる。
【００８７】
制御情報２のシンボルの個数が第１のシンボル区間領域の資源要素の個数より多い場合、制御情報２は、第１のシンボル区間領域外でも制御情報１をパンクチャリングすることができる。また、制御情報３のシンボルの個数が第２のシンボル区間領域の資源要素の個数より多い場合、制御情報３は、第２のシンボル区間領域外でも制御情報１をパンクチャリングすることができる。
【００８８】
図１２による方法は、各資源要素の集合上で上下左右対称に変形される。この構成は図１３を参照して説明する。
【００８９】
＜実施例６＞
図１３は、本発明の一実施例に係るデータ情報及び制御情報を各資源要素の集合上に多重化してマッピングする方法を示す図である。
【００９０】
図１３において、制御情報１は、図１３に示した全体領域内で、ＲＳがマッピングされる資源要素を除いて、１番目の資源要素を含む連続的な一つ以上の資源要素にマッピングされる。制御情報２は上述した第１のシンボル区間領域にマッピングされ、制御情報３は上述した第２のシンボル区間領域にマッピングされる。すなわち、制御情報２は、ＲＳがマッピングされるシンボル区間の前後に隣接するシンボル区間にマッピングされ、制御情報３は、ＲＳがマッピングされるシンボル区間から一つのシンボル区間だけ離隔しているシンボル区間にマッピングされる。制御情報２は、第１のシンボル区間領域で順方向に、逆方向に、又は特定マッピング順序によってマッピングされる。制御情報３は、第２のシンボル区間領域で順方向に、逆方向に、又は特定マッピング順序によってマッピングされる。制御情報２が存在しない場合、制御情報１と制御情報３は図１３で制御情報２が脱落した状態でマッピングされ、制御情報３が存在しない場合、制御情報１と制御情報２は図１３で制御情報３が脱落した状態でマッピングされる。
【００９１】
このとき、制御情報３が他の情報をパンクチャリングする方式で多重化される場合、制御情報３を第２のシンボル区間領域（すなわち、制御情報２がマッピングされる資源要素の横に位置する資源要素）にマッピングすることによって、制御情報１がパンクチャリングされるのを減少させることができる。
【００９２】
図１３による実施例において、制御情報１はデータ情報をパンクチャリングしない。すなわち、制御情報１とデータ情報のレートマッチングが行われる。また、互いに異なる特性の制御情報が連接された形態で構成される。制御情報２は、第１のシンボル区間領域にマッピングされるデータ情報及び／又は制御情報１をパンクチャリングすることができる。制御情報３は、第２のシンボル区間領域にマッピングされるデータ情報及び／又は制御情報１をパンクチャリングすることができる。
【００９３】
また、制御情報２及び／又は制御情報３は、データ情報に対するレートマッチングによって確保した資源要素を通して伝送されることもある。例えば、制御情報２は、データ情報及び制御情報１をパンクチャリングし、制御情報３とデータ情報及び／又は制御情報１のレートマッチングが行われ、制御情報３は、データ情報及び／又は制御情報１の間に挿入される形態でマッピングされる。
【００９４】
制御情報２のシンボルの個数が第１のシンボル区間領域の資源要素の個数より多い場合、制御情報２は、第１のシンボル区間領域外にマッピングされる制御情報１をパンクチャリングすることができる。また、制御情報３のシンボルの個数が第２のシンボル区間領域の資源要素の個数より多い場合、制御情報３は、第２のシンボル区間領域外にマッピングされる制御情報１をパンクチャリングすることができる。
【００９５】
上述した図１３による実施例において、上述した制御情報１は、前記各資源要素の集合上にマッピングされる前にデータ情報と多重化される。すなわち、制御情報１が配列された位置以後にデータ情報が配列されるように、制御情報１とデータ情報を多重化し、多重化されたストリームを生成することができる。その次に、上述した多重化されたストリームを図１３に示した全体領域の１番目の資源要素から順方向マッピング順序によってマッピングしたり、その反対に、図１０に示した全体領域の最後の資源要素から逆方向マッピング順序によってマッピングすることができる。このような方法によって、制御情報１は、上述したように、図１０に示した全体領域内で、ＲＳがマッピングされる資源要素を除いて、１番目の資源要素又は最後の資源要素を含む連続的な一つ以上の資源要素にマッピングされる。また、制御情報１が存在しない場合も、上述した各実施例が使用可能であることを理解することができる。また、制御情報２が存在しない場合、制御情報１と制御情報３は図１３で制御情報２が脱落した状態でマッピングされ、制御情報３が存在しない場合、制御情報１と制御情報２は図１３で制御情報３が脱落した状態でマッピングされる。
【００９６】
ここで、図１３による方法は、図１２による方法による構造が上下左右対称に変形された構造であるので、図１３による方法は、図１２を参照して説明した各特徴を共有する。以下、図１２又は図１３による方法で、制御情報３の位置を表１から表９を参照してより詳細に説明する。
【００９７】
表１〜表９を説明する前に、上述した各実施例をさらに説明する。上述した図７〜図１３による実施例において、上述した制御情報１は、上述した各資源要素の集合上にマッピングされる前にデータ情報と多重化される。すなわち、制御情報１の次にデータ情報が配列されるように、制御情報１とデータ情報を多重化することによって、多重化されたストリームを生成することができる。その次に、上述した多重化されたストリームを各図面に示した全体領域の１番目の資源要素から順方向マッピング順序によってマッピングしたり、その反対に、上述した各図面に示した全体領域の最後の資源要素から逆方向マッピング順序によってマッピングすることができる。このような方法によって、制御情報１は、各資源要素の集合の全体領域内で、ＲＳがマッピングされる資源要素を除いて、１番目の資源要素又は最後の資源要素を含む連続的な一つ以上の資源要素にマッピングされる。また、制御情報１が存在しない場合も、上述した各実施例が使用可能であることを理解することができる。
【００９８】
また、上述した図８〜図１３による実施例において、制御情報２が存在しない場合、制御情報１と制御情報３はそれぞれの図面で制御情報２が脱落した状態でマッピングされ、制御情報３が存在しない場合、制御情報１と制御情報２はそれぞれの図面で制御情報３が脱落した状態でマッピングされる。
【００９９】
図１２又は図１３による方法において、制御情報３の位置、すなわち、第２のシンボル区間は、下記の例示的な表１〜表９のうちいずれか一つによって定義される。表１〜表９は、ＣＰ（ｃｙｃｌｉｃ  ｐｒｅｆｉｘ）の構成及びＳＲＳ（ｓｏｕｎｄｉｎｇ  ｒｅｆｅｒｅｎｃｅ  ｓｉｇｎａｌ）の構成によって制御情報３がマッピングされるシンボル区間を示す。図１２又は図１３では「標準ＣＰ」を仮定したが、「拡張ＣＰ」の場合にも同一の方法を使用することができる。
【０１００】
図１４ａは、標準ＣＰが使用される一実施例による構成を示し、図１４ｂは、拡張ＣＰが使用される一実施例による構成を示す図である。
【０１０１】
通常、データ情報と制御情報がマッピングされるシンボル区間は、ＣＰの構成及びＳＲＳの構成によって変更される。標準ＣＰが使用される場合、図１４ａに示すように、一つのサブフレームは１４個のシンボル区間からなる。このとき、表１〜表９では、１４個のシンボル区間のうち
【化１】
0005393868.tif 000002
のシンボル区間にＲＳが位置する場合を仮定する。また、拡張ＣＰが使用される場合、図１４ｂに示すように、一つのサブフレームは１２個のシンボル区間からなる。このとき、表１〜表７では、１２個のシンボル区間のうち
【化２】
0005393868.tif 000003
のシンボル区間にＲＳが位置する場合を仮定する。一方、上述した過程とは異なり、ＲＳが位置するシンボル区間は表１〜表９の場合と異なるように変更され、このとき、データ情報及び制御情報がマッピングされるシンボル区間は、表１〜表９の場合と異なるように変更されることを理解しなければならない。
【０１０２】
表１〜表９において、「Ｃｏｌｕｍｎ  Ｓｅｔ」と表記された行の「｛｝」内に表記された数字は、制御情報３がマッピングされるシンボル区間を示す。ただし、この数字は、図１４ａ及び図１４ｂでＲＳがマッピングされるシンボル区間を除いて割り当てられたものである。すなわち、「｛｝」内に表記された数字は、図１４ａ及び／又は図１４ｂの下部に配列された数字に対応するシンボル区間を示す。「｛｝」内に表記された数字は、標準ＣＰの場合は「０」〜「１１」の値を有することができ、拡張ＣＰの場合は「０」〜「９」の値を有することができる。
【０１０３】
また、表１〜表９には、ＳＲＳが１番目のシンボル区間にマッピングされる構成と最後のシンボル区間にマッピングされる構成が含まれている。表１〜表９に記載されている「Ｆｉｒｓｔ  ＳＣ―ＦＤＭＡ  ｓｙｍｂｏｌ」は、ＳＲＳが１番目のシンボルにマッピングされる場合を称し、「Ｌａｓｔ  ＳＣ―ＦＤＭＡ  ｓｙｍｂｏｌ」は、ＳＲＳが最後のシンボルにマッピングされる場合を称し、「Ｎｏ  ＳＲＳ」はＳＲＳがマッピングされない場合を称する。
【０１０４】
【表１】
0005393868.tif 000004
表１において、拡張ＣＰのＬａｓｔ  ＳＣ―ＦＤＭＡ  ｓｙｍｂｏｌで、様々な「Ｃｏｌｕｍｎ  ｓｅｔ」のうち一つを使用することができる。
【０１０５】
【表２】
0005393868.tif 000005
拡張ＣＰの場合、例外的にＳＲＳが最後のシンボル区間にマッピングされることが許容されないか、又は、許容されるとしてもＳＲＳが脱落する。この場合、表２のように、「Ｌａｓｔ  ＳＣ―ＦＤＭＡ  ｓｙｍｂｏｌ」が「Ｎｏ  ＳＲＳ」と同一の「Ｃｏｌｕｍｎ  ｓｅｔ」を有することができる。
【０１０６】
【表３】
0005393868.tif 000006
表３の拡張ＣＰの「Ｌａｓｔ  ＳＣ―ＦＤＭＡ  ｓｙｍｂｏｌ」の構成は、ＳＲＳのために、制御情報３がマッピングされるシンボル区間の位置が変更されることを示す。
【０１０７】
【表４】
0005393868.tif 000007
拡張ＣＰの場合、例外的にＳＲＳが最後のシンボル区間にマッピングされることが許容されないか、又は、許容されるとしてもＳＲＳが脱落する。表４において、拡張ＣＰで「Ｌａｓｔ  ＳＣ―ＦＤＭＡ  ｓｙｍｂｏｌ」ＳＲＳが例外的に許容されないか、又は、許容されるとしても「Ｌａｓｔ  ＳＣ―ＦＤＭＡ  ｓｙｍｂｏｌ」ＳＲＳを脱落可能な場合に使用される。また、ｆｉｒｓｔ  ＳＣ―ＦＤＭＡ  ｓｙｍｂｏｌ  ＳＲＳが使用されない場合、ｆｉｒｓｔ  ＳＣ―ＦＤＭＡ  ｓｙｍｂｏｌ部分（「Ｃｏｌｕｍｎ  ｓｅｔ」を含む）が脱落した状態で構成される。
【０１０８】
【表５】
0005393868.tif 000008
図１４ａ及び図１４ｂを参照すれば、表５で各「Ｃｏｌｕｍｎ  ｓｅｔ」の構成が上述した第２のシンボル区間領域に対応することを確認することができる。すなわち、各構成において、制御情報３は、ＲＳがマッピングされるシンボル区間から一つのシンボル区間だけ離隔しているシンボル区間にマッピングされることが分かる。このとき、拡張ＣＰで「Ｌａｓｔ  ＳＣ―ＦＤＭＡ  ｓｙｍｂｏｌ」構成の場合、数字９はＳＲＳの位置を示すが、例外的にＳＲＳが最後のシンボル区間にマッピングされることが許容されないか、又は、許容されるとしてもＳＲＳが脱落する場合、このような構成を使用することができる。また、ＳＲＳ構成とは関係なしに、各ＣＰ構成での「Ｃｏｌｕｍｎ  ｓｅｔ」の位置が同一であるので、表５を構成するとき、ＳＲＳ構成のない形態で表示することができる。
【０１０９】
【表６】
0005393868.tif 000009
図１４ａ及び図１４ｂを参照すれば、表６において、拡張ＣＰで「Ｌａｓｔ  ＳＣ―ＦＤＭＡ  ｓｙｍｂｏｌ」構成を除いた各構成が上述した第２のシンボル区間領域に対応することを確認することができる。また、表６の各構成によれば、制御情報３は、上述した第１のシンボル区間の資源要素にはマッピングされないことが分かる。表６において、拡張ＣＰの「Ｌａｓｔ  ＳＣ―ＦＤＭＡ  ｓｙｍｂｏｌ」構成で、制御情報３はシンボル区間「９」にマッピングされない。その理由は、ＳＲＳがシンボル区間「９」の位置にマッピングされるためである。表６を表５と比較してみると、拡張ＣＰで「Ｌａｓｔ  ＳＣ―ＦＤＭＡ  ｓｙｍｂｏｌ」構成が互いに異なることを確認することができる。すなわち、表５ではシンボル区間「９」に位置していた制御シンボル３は、表６ではＲＳがマッピングされるシンボル区間に隣接しないシンボル区間であるシンボル区間「５」にマッピングされる。表６の拡張ＣＰの「Ｌａｓｔ  ＳＣ―ＦＤＭＡ  ｓｙｍｂｏｌ」構成で「Ｃｏｌｕｍｎ  ｓｅｔ」が｛１、４、６、５｝の順に表示されたのは、シンボル区間「６」がシンボル区間「５」よりもＲＳがマッピングされるシンボル区間に近いので、シンボル区間「６」がシンボル区間「５」に比べてマッピングに対する優先権を有することを意味する。すなわち、各シンボル区間に均一に制御情報を充填する過程で、シンボル区間「６」及びシンボル区間「５」のうち一つのシンボル区間のみに制御情報を充填しなければならない場合、シンボル区間「６」に優先的に制御情報をマッピングできることを意味する。しかし、「Ｃｏｌｕｍｎ  ｓｅｔ」が｛１、４、６、５｝の順に表示される場合も、優先権は｛１、４、５、６｝の順序を有することができる。ここで、制御情報３がマッピングされるシンボル区間の位置が重要である。
【０１１０】
【表７】
0005393868.tif 000010
図１４ａ及び図１４ｂを参照すれば、表７で拡張ＣＰの各構成が上述した第２のシンボル区間領域に対応することを確認することができる。また、表７の各構成によれば、制御情報３は、上述した第１のシンボル区間の資源要素にはマッピングされないことが分かる。表５及び表６とは異なり、表７では、拡張ＣＰの場合、ＳＲＳ構成とは関係なしに同一の「Ｃｏｌｕｍｎ  ｓｅｔ」構成を有する。表６の拡張ＣＰの「Ｌａｓｔ  ＳＣ―ＦＤＭＡ  ｓｙｍｂｏｌ」構成で「Ｃｏｌｕｍｎ  ｓｅｔ」が｛１、４、６、５｝の順に表示されたのは、シンボル区間「６」がシンボル区間「５」よりもＲＳがマッピングされるシンボル区間に近いので、シンボル区間「６」がシンボル区間「５」に比べて優先権を有することを意味する。すなわち、各シンボル区間に均一に制御情報を充填する過程で、シンボル区間「６」及びシンボル区間「５」のうち一つのシンボル区間のみに制御情報を充填しなければならない場合、シンボル区間「６」が優先権を有することを意味する。しかし、「Ｃｏｌｕｍｎ  ｓｅｔ」が｛１、４、６、５｝の順に表示される場合も、優先権は｛１、４、５、６｝の順序を有することができる。ここで、制御情報３がマッピングされるシンボル区間の位置が重要である。表７では、ＳＲＳの構成と関係なしに、各ＣＰ内で同一の「Ｃｏｌｕｍｎ  ｓｅｔ」を有するので、表７をＳＲＳ構成のない形態で表示することができる。
【０１１１】
図１５ａ及び図１５ｂは、例示的な拡張ＣＰでの構造を示す図である。これは、下記の表８及び表９による構成を説明するための図である。
【０１１２】
【表８】
0005393868.tif 000011
表８は、拡張ＣＰでＲＳがマッピングされるシンボル区間が変更されたときの構成を示す。特に、表８では、シンボル区間のうち
【化３】
0005393868.tif 000012
のシンボル区間にＲＳが位置する場合を仮定する（図１５ａを参照）。表８の拡張ＣＰの構成によれば、制御情報３は、ＲＳがマッピングされるシンボル区間から一つのシンボル区間だけ離隔したシンボル区間にマッピングされる。すなわち、制御情報３は、上述した第２のシンボル区間にマッピングされる。表８の構成を参照すれば、制御情報３がマッピングされるシンボル区間の位置は、ＲＳ、ＳＲＳの位置によって修正可能であることが分かる。
【０１１３】
【表９】
0005393868.tif 000013
表９は、拡張ＣＰでＲＳがマッピングされるシンボル区間が変更されたときの構成を示す。特に、表９では、シンボル区間のうち
【化４】
0005393868.tif 000014
のシンボル区間にＲＳが位置する場合を仮定する（図１５ｂを参照）。
【０１１４】
図１６及び図１７は、それぞれ標準ＣＰ及び拡張ＣＰの場合、一つのサブフレーム内でＳＲＳ及びＲＳが割り当てられる位置の一例を示す図である。
【０１１５】
図１６及び図１７は、それぞれ図１４ａ及び図１４ｂに対応し、ＳＲＳがマッピングされない場合又はＳＲＳが最後のシンボルにマッピングされる場合を示す図である。制御情報３は、シンボルを基準にして変調等級を考慮し、ＲＳがマッピングされるシンボル区間と一つのシンボル長さだけ離隔してマッピングされる。したがって、図１６で、制御情報３は１、４、７、１０のインデックスを有するシンボル区間にマッピングされ、図１７で、制御情報３は１、４、６、９のインデックスを有するシンボル区間にマッピングされる。
【０１１６】
＜実施例７＞
図１８ａ〜図１８ｆは、一つの副搬送波内で制御情報２及び／又は制御情報３が時間方向にマッピングされる順序を示す図である。
【０１１７】
制御情報２及び制御情報３は、それぞれ副搬送波ごとに最大４個の資源要素にマッピングされる。図１８ａ〜図１８ｆは、一つの副搬送波内の４個の資源要素に対してシンボルがマッピングされる順序を示す図である。ＣＰの構造によって各制御情報がマッピングされるシンボルの番号は変更可能であるが、インデキシング順序は図１８ａ〜図１８ｆのように相対的に決定することができる。図１８ａ〜図１８ｆは、符号化後の１０個のシンボルがＳＲＳのない標準ＣＰの構成にマッピングされる例を示す図である。
【０１１８】
以下、図１８ａ〜図１８ｆについて、制御情報２を基準にして説明する。
【０１１９】
図１８ａ〜図１８ｆは、第１のシンボル区間領域のみを選択して示したものと理解することができる。図１８ａでは、制御情報２を第１のシンボル区間領域の最後の副搬送波から上側方向の順にマッピングし、各副搬送波内では時間の流れに沿ってマッピングする。このとき、制御情報２は、第１のシンボル区間領域の最後の副搬送波内の使用可能な４個の資源要素に全てマッピングされるようにする。
【０１２０】
図１８ｂでは、制御情報２のシンボルの個数を考慮し、制御情報２を第１のシンボル区間領域の特定副搬送波から下側方向にマッピングし、各副搬送波内では時間の流れに沿ってマッピングする方法を示す。このとき、制御情報２は、前記特定副搬送波内のマッピング可能な４個の資源要素に全てマッピングされ、第１のシンボル区間領域の最後の副搬送波内の資源要素にもマッピングされるようにする。
【０１２１】
図１８ｃでは、制御情報２のシンボルの個数を考慮し、制御情報２を第１のシンボル区間領域の特定副搬送波から下側方向にマッピングし、各副搬送波内では時間の流れに沿ってマッピングする方法を示す。このとき、制御情報２は、第１のシンボル区間領域の最後の副搬送波内のマッピング可能な４個の資源要素に全てマッピングされるようにする。
【０１２２】
図１８ｄでは、制御情報２を第１のシンボル区間領域の最後の副搬送波から上側方向にマッピングし、各副搬送波内では時間の流れに逆らってマッピングする方法を示す。このとき、制御情報２は、第１のシンボル区間領域の最後の副搬送波内のマッピング可能な４個の資源要素に全てマッピングされるようにする。
【０１２３】
図１８ｅでは、制御情報２のシンボルの個数を考慮し、制御情報２を第１のシンボル区間領域の最後の副搬送波から上側方向にマッピングし、各副搬送波内では時間の流れに逆らってマッピングする方法を示す。このとき、制御情報２は、一番上側の副搬送波内のマッピング可能な４個の資源要素に全てマッピングされるようにする。
【０１２４】
図１８ｆでは、図１８ｄによる方法を変形し、各副搬送波内で４個の資源要素にマッピングする順序を変形した方法を示す。すなわち、各副搬送波内で時間の流れに逆らってマッピングする配置方法で、制御情報２を右側に１だけ循環シフトしてマッピングする方法である。また、制御情報２を２又は３だけ循環シフトしてマッピングすることもできる。
【０１２５】
以上、図１８ａ〜図１８ｆは、制御情報２のマッピング順序を説明するための図であるが、制御情報３についても同一の方法を適用可能であることを理解することができる。
【０１２６】
図１９ａ〜図２１ｂは、図１８ａ〜図１８ｆの方法をより詳細に説明する図で、図１８ａ〜図１８ｆによる方法をＲ＊Ｃの行列構造を有する各資源要素の集合に適用した例を示す。図１９ａ及び図１９ｂはそれぞれ図１８ａ及び図１８ｂに対応し、図２０ａ及び図２０ｂはそれぞれ図１８ｃ及び図１８ｄに対応し、図２１ａ及び図２１ｂはそれぞれ図１８ｅ及び図１８ｆに対応する。
【０１２７】
以上、図２〜図２１ｂでは、データ情報と制御情報がマッピングされる位置とＲＳがマッピングされる位置との相対的な関係を示すために、ＲＳがマッピングされる資源要素を含む各物理資源要素の集合を用いて説明した。ここで、上述した各実施例は、各物理資源要素の集合でＲＳがマッピングされる資源要素を除いた時間―周波数行列の構造を用いて説明可能であることを理解することができる。
【０１２８】
上述した図２〜図２１ｂの各物理資源要素の集合上にマッピングされて出力されるデータ及び各制御情報は、３ＧＰＰ  ＴＳ  ３６．２１１のＰＵＳＣＨの処理に関する内容のように、スクランブリングされて変調・マッピングされた後、変換プリコーダを経て資源要素マッピング部に入力される。また、この出願書に記載された英文の略語は、３ＧＰＰ
ＴＳ  ３６．２１２に記載された略語を参照したものである。
【０１２９】
以下、本発明に係る図１３による方法で、制御情報であるＣＱＩ／ＰＭＩ及びＲＩをデータ情報と多重化する一実施例を３ＧＰＰ  ＴＳ  ３６．２１２  Ｖ８．２．０に適用する方法を記述する。
以下、
【０１３０】
【数１】
0005393868.tif 000015
は入力データを示し、
【０１３１】
【数２】
0005393868.tif 000016
は入力ランク情報を示し、
【０１３２】
【数３】
0005393868.tif 000017
は多重化された出力を示す。ここで、
【０１３３】
【数４】
0005393868.tif 000018
である。
【０１３４】
後述する処理段階を経て多重化することができる。
【０１３５】
１．下記の公式によってサブフレーム当たりのシンボルの個数を決定する。
【０１３６】
【数５】
0005393868.tif 000019
ここで、
【０１３７】
【数６】
0005393868.tif 000020
は、一つのサブフレームでＰＵＳＣＨを伝達するＳＣ―ＦＤＭＡのシンボルの個数である。そして、
【０１３８】
【数７】
0005393868.tif 000021
は、一つのアップリンクスロット内のシンボルの個数である。そして、
【０１３９】
【数８】
0005393868.tif 000022
は、一つのサブフレーム内でＳＲＳ伝送のために使用されるシンボルの個数である。
【０１４０】
２．下記の公式によって、データ情報の変調シンボルの個数Ｇ’を決定する。
Ｇ’＝Ｇ／Ｑｍ１（Ｑｍ１：データの変調等級）
３．下記の公式によってランク情報の変調シンボルの個数Ｑ’を決定する。
Ｑ’＝Ｑ／Ｑｍ２（Ｑｍ２：ランク情報の変調等級）
４．ランク情報の変調シンボルが占める副搬送波の個数Ｋを決定する。
Ｋ＝ｃｅｉｌ（Ｑ’／ランク情報のための資源の最大個数）
５．シンボル当たりのランク情報の変調シンボルの個数を決定する。
【０１４１】
シンボル当たりのランク情報の変調シンボルの個数は、Ｑ’を基盤にして各ランク情報が位置するシンボル位置で「ｆｌｏｏｒ」と「ｃｅｉｌ」を組み合わせたり、ランク情報の変調シンボルの個数をシンボルの数で割ることによって得られた余りによって決定する方法などで決定される。このとき、変調シンボルは、最大２個のスロットに均等に分けることができ、前方のスロットから後方のスロットの方向又はその逆の方向に割り当てることができる。
【０１４２】
６．データ情報とランク情報の変調シンボルを多重化する。
【０１４３】
究極的に、ランク情報は、副搬送波の一番下側から積み上げる形態でなければならないので、データ情報が時間優先方式でマッピングされながら、ランク情報が該当のシンボルでマッピングされなければならない。このとき、データ情報は、一番上部の副搬送波からマッピングされるので、副搬送波全体の個数から２番の結果を引けば、ランク情報が位置する副搬送波の位置を知ることができるので、このときから、３番で決定されたシンボルの個数を考慮してランク情報をマッピングする。これを擬似コードで示すと、次の通りである。
【０１４４】
＝＝＝＝＝＝＝＝＝＝＝＝＝＝＝＝＝＝＝＝＝＝＝＝＝＝＝＝＝＝＝＝＝＝＝＝＝＝＝＝
Ｆｏｒ（０番の副搬送波から最後の副搬送波まで）｛
Ｉｆ（現在の副搬送波の番号が副搬送波全体の個数からＫを引いた値より小さい場合）｛ｆｏｒ（ＳＣ―ＦＤＭＡシンボル０からサブフレーム当たりのＳＣ―ＦＤＭＡシンボルの数まで）
｛
データを１シンボルずつ出力としてマッピング
ＳＣ―ＦＤＭＡシンボルカウント増加
データシンボルカウント増加
｝
ｅｌｓｅ｛
ｆｏｒ（ＳＣ―ＦＤＭＡシンボル０からサブフレーム当たりのＳＣ―ＦＤＭＡシンボルの数まで）
｛
ｉｆ（４番で計算された該当のＳＣ―ＦＤＭＡシンボルでランク情報の変調シンボルの数が０であれば）｛
データを１シンボルずつ出力としてマッピング
ＳＣ―ＦＤＭＡシンボルカウント増加
データシンボルカウント増加
｝
ｅｌｓｅ｛
ランク情報を１シンボルずつ出力としてマッピング
ＳＣ―ＦＤＭＡシンボルカウント増加
ランク情報カウント増加
４番で計算された該当のＳＣ―ＦＤＭＡシンボルでランク情報の変調シンボルの数を削除
｝
｝
｝
副搬送波のカウント増加
｝
＝＝＝＝＝＝＝＝＝＝＝＝＝＝＝＝＝＝＝＝＝＝＝＝＝＝＝＝＝＝＝＝＝＝＝＝＝＝＝＝
ランク情報がパンクチャリングでないレートマッチング方法などによってデータ間に位置する方法に関する詳細事項は、全体又は部分的に変形して使用される。
【０１４５】
以下、本発明に係る図１３による方法で、制御情報であるＣＱＩ／ＰＭＩ及びＲＩをデータ情報と多重化する一実施例を３ＧＰＰ  ＴＳ  ３６．２１２  Ｖ８．２．０に適用する他の方法を記述する。
【０１４６】
下記の方法は、例示したもので、ＲＩの量がＣＱＩ／ＰＭＩの占めた資源を侵犯しない場合（ＲＩが占有するシンボルを含む副搬送波の個数とＣＱＩ／ＰＭＩが占有する副搬送波の数がサブフレーム当たりのＰＵＳＣＨ伝送のために使用される副搬送波全体の数を超えない。）を仮定したものである。したがって、ＲＩ、ＣＱＩ／ＰＭＩ及びデータ情報の量は、互いに侵犯しない大きさに考慮しなければならない。これらが互いに侵犯する場合、ＲＩは、ＣＱＩ／ＰＭＩをパンクチャリングする方式を採用し、下記の方法を修正して使用することができる。
【０１４７】
ここで、
【０１４８】
【数９】
0005393868.tif 000023
はＣＱＩ／ＰＭＩ入力を示し、
【０１４９】
【数１０】
0005393868.tif 000024
はデータ情報の入力を示し、
【０１５０】
【数１１】
0005393868.tif 000025
（コードビット）又は
【０１５１】
【数１２】
0005393868.tif 000026
（ベクトルシーケンス、変調等級が考慮されたシンボル形態）はＲＩ入力を示す。そして、
【０１５２】
【数１３】
0005393868.tif 000027
は出力を示す。ここで、ＲＩがコードビットである場合、Ｈ＝（Ｇ＋Ｑ＋ＱＲＡＮＫ）、Ｈ’＝Ｈ／Ｑｍで、ＲＩがベクトルシーケンスである場合、Ｈ’＝Ｈ／Ｑｍ＋Ｑ’ＲＡＮＫである。
【０１５３】
【数１４】
0005393868.tif 000028
は、ＰＵＳＣＨ伝送のためのサブフレーム当たりのシンボルの個数を示す。
【０１５４】
【数１５】
0005393868.tif 000029
は、一つのサブフレーム内でＰＵＳＣＨを運搬する副搬送波の個数を示す。
【０１５５】
一つのサブキャリア内でランク情報のために使用される副搬送波の個数は、次のように二つに分けて表示される。すなわち、ＲＩがコードビットである場合、
【０１５６】
【数１６】
0005393868.tif 000030
のように表示される。ここで、４は、ＲＩのための資源の最大個数で、その数で余りなしに割られる場合、ｃｅｉｌ／ｆｌｏｏｒなどの記号を使用しない。一方、ＲＩがベクトルシーケンスである場合、
【０１５７】
【数１７】
0005393868.tif 000031
のように表示することができる。ここで、４は、ＲＩのための資源の最大個数で、その数で余りなしに割られる場合、ｃｅｉｌ／ｆｌｏｏｒなどの記号を使用しない。
【０１５８】
一つのサブフレーム内でＰＵＳＣＨを運搬するｉ番目のシンボル内のビット／ベクトルシーケンスとして符号化されたランク情報の個数をｎｉと示す。
【０１５９】
標準ＣＰを有するサブフレームに対してＰＵＳＣＨを運搬するそれぞれのシンボルにマッピングされるランク情報のための符号化されたビット／ベクトルシーケンスの個数は、表１０〜表１２を参照すればよい。表１０は、標準ＣＰを有するサブフレームでのｎｉの値を示す。表１１は、ＳＲＳのない拡張ＣＰを有するサブフレームでのｎｉ値を示す。表１２は、最後のシンボルにＳＲＳを有する拡張ＣＰを有するサブフレームでのｎｉ値を示す。
【０１６０】
【表１０】
0005393868.tif 000032
表１０では、２個のスロットとＲＩが位置するシンボルを均一に使用することを目的とする。このとき、２個のスロットとＲＩが位置するシンボルを均一に使用する方法は、ｃｅｉｌ／ｆｌｏｏｒ／モジュロ（ｍｏｄｕｌｏ）又はＲＩが位置するシンボルの位置優先度を用いて行うことができる。すなわち、ｉは、１＞４＞７＞１０、１＞７＞４＞１０又は４＞７＞１＞１０などの様々な組み合わせによって、その個数が１だけの差を有することができ、それによって、前記表を修正することができる。また、ＱＲＡＮＫとＱ’ＲＡＮＫの二つの場合を言及したが、ＲＩがコーディングされたビットである場合にはＱＲＡＮＫを用いた式を使用し、ＲＩがベクトルシーケンスである場合にはＱ’ＲＡＮＫを用いた式を使用することができる。
【０１６１】
【表１１】
0005393868.tif 000033
表１１では、２個のスロットとＲＩが位置するシンボルを均一に使用することを目的とする。このとき、２個のスロットとＲＩが位置するシンボルを均一に使用する方法は、ｃｅｉｌ／ｆｌｏｏｒ／モジュロ（ｍｏｄｕｌｏ）又はＲＩが位置するシンボルの位置優先度を用いて行うことができる。すなわち、ｉは、１＞４＞６＞９、１＞６＞４＞９又は４＞６＞１＞９などの様々な組み合わせによって、その個数が１だけの差を有することができ、それによって、前記表を修正することができる。また、ＱＲＡＮＫとＱ’ＲＡＮＫの二つの場合を言及したが、ＲＩがコードビットである場合にはＱＲＡＮＫを用いた式を使用し、ＲＩがベクトルシーケンスである場合にはＱ’ＲＡＮＫを用いた式を使用することができる。
【０１６２】
【表１２】
0005393868.tif 000034
表１２では、２個のスロットとＲＩが位置するシンボルを均一に使用することを目的とする。このとき、２個のスロットとＲＩが位置するシンボルを均一に使用する方法は、ｃｅｉｌ／ｆｌｏｏｒ／モジュロ（ｍｏｄｕｌｏ）又はＲＩが位置するシンボルの位置優先度を用いて行うことができる。すなわち、ｉは、１＞４＞６＞５、１＞６＞４＞５又は４＞６＞１＞５などの様々な組み合わせによって、その個数が１だけの差を有することができ、それによって、前記表を修正することができる。また、ＱＲＡＮＫとＱ’ＲＡＮＫの二つの場合を言及したが、ＲＩがコードビットである場合にはＱＲＡＮＫを用いた式を使用することができ、ＲＩがベクトルシーケンスである場合にはＱ’ＲＡＮＫを用いた式を使用することができる。
【０１６３】
制御情報、ランク情報及びデータ情報は、次のように多重化される。
＝＝＝＝＝＝＝＝＝＝＝＝＝＝＝＝＝＝＝＝＝＝＝＝＝＝＝＝＝＝＝＝
【０１６４】
【数１８】
0005393868.tif 000035
【０１６５】
【数１９】
0005393868.tif 000036
＝＝＝＝＝＝＝＝＝＝＝＝＝＝＝＝＝＝＝＝＝＝＝＝＝＝＝＝＝＝＝＝＝＝
ＲＩがコードビットである場合には
【０１６６】
【数２０】
0005393868.tif 000037
を使用することができ、ＲＩがベクトルシーケンスである場合には
【０１６７】
【数２１】
0005393868.tif 000038
を使用することができる。
【０１６８】
以下、本発明に係る図１３による方法で、制御情報であるＣＱＩ／ＰＭＩ及びＲＩをデータ情報と多重化する一実施例を３ＧＰＰ  ＴＳ  ３６．２１２  Ｖ８．２．０に適用する更に他の方法を記述する。
【０１６９】
図２２は、本発明の一実施例に係るＵＬ−ＳＣＨ伝送チャンネルのための処理構造を示す図である。データは、伝送時間区間（ＴＴＩ）ごとに最大一つの伝送ブロックの形態を有して符号化ユニットに到逹する。そして、図２２を参照すれば、伝送ブロックにＣＲＣを付着する段階、コードブロックを分割し、分割されたコードブロックにＣＲＣを付着する段階、データと制御情報に対してチャンネルコーディングを行う段階、レートマッチングを行う段階、コードブロックを連接する段階、データと制御情報を多重化する段階及びチャンネルインターリービングを行う段階を経ることができる。
【０１７０】
以下、伝送ブロックにＣＲＣを付着する段階について説明する。ＣＲＣ（Ｃｙｃｌｉｃ
Ｒｅｄｕｎｄａｎｃｙ  Ｃｈｅｃｋ）を使用することによって、ＵＬ−ＳＣＨ伝送ブロックに対してエラー検出を行うことができる。伝送ブロック全体を使用してＣＲＣパリティビットを計算する。階層１に伝達される伝送ブロック内のビットを
【０１７１】
【数２２】
0005393868.tif 000039
で表示し、パリティビットは
【０１７２】
【数２３】
0005393868.tif 000040
で表示する。Ａは伝送ブロックの大きさで、Ｌはパリティビットの個数である。各パリティビットは、Ｌを２４ビットと設定し、生成多項式ｇＣＲＣ２４Ａ（Ｄ）を使用して５．１．１節によって計算され、ＵＬ−ＳＣＨ伝送ブロックに付着される。
【０１７３】
以下、コードブロック分割及びコードブロックＣＲＣ付着について説明する。コードブロック分割部に入力されるビットを
【０１７４】
【数２４】
0005393868.tif 000041
で表示する。ここで、Ｂは、伝送ブロック内のビットの個数（ＣＲＣを含む。）である。コードブロック分割及びコードブロックＣＲＣ付着は５．１．２節によって行われる。
【０１７５】
コードブロック分割以後のビットは、
【０１７６】
【数２５】
0005393868.tif 000042
で表示される。ここで、ｒはコードブロックナンバーで、Ｋｒはコードブロックナンバーｒのビットの個数である。
【０１７７】
以下、ＵＬ―ＳＣＨのチャンネルコーディングについて説明する。各コードブロックはチャンネルコーディングブロックに伝達される。一つのコードブロック内にある各ビットは
【０１７８】
【数２６】
0005393868.tif 000043
で表示される。ここで、ｒはコードブロックナンバーで、Ｋｒはコードブロックナンバーｒにあるビットの個数である。各コードブロックの総個数はＣで表示され、各コードブロックはそれぞれ５．１．３．２節によってターボ符号化される。
【０１７９】
符号化された後の各ビットは
【０１８０】
【数２７】
0005393868.tif 000044
で表示される。ここで、ｉ＝０、１、２で、Ｄｒは、コードブロックナンバーｒのｉ番目に符号化されたストリームのビットの個数である。すなわち、
【０１８１】
【数２８】
0005393868.tif 000045
である。
【０１８２】
以下、レートマッチングについて説明する。ターボ符号化された各ブロックは、レートマッチングブロックに伝達される。符号化された後の各ビットは
【０１８３】
【数２９】
0005393868.tif 000046
で表示される。ここで、ｉ＝０、１、２で、ｒはコードブロックナンバーで、ｉは符号化されたストリームインデックスで、Ｄｒはコードブロックナンバーｒのそれぞれの符号化されたストリームのビットの個数である。コードブロックの総個数はＣで表示され、各コードブロックのレートマッチングはそれぞれ５．１．４．１節によって行われる。
【０１８４】
レートマッチング後の各ビットは
【０１８５】
【数３０】
0005393868.tif 000047
で表示される。ここで、ｒはコードブロックナンバーで、Ｅｒはコードブロックナンバーｒに対してレートマッチングが行われた各ビットの個数である。
【０１８６】
以下、コードブロック連接について説明する。コードブロック連接ブロックに入力される各ビットは
【０１８７】
【数３１】
0005393868.tif 000048
で表示される。コードブロック連接ブロックに入力される各ビットは
【０１８８】
【数３２】
0005393868.tif 000049
で表示される。ここで、ｒ＝０、…、Ｃ−１で、Ｅｒはｒ番目のコードブロックに対してレートマッチングが行われた各ビットの個数である。
【０１８９】
コードブロック連接は５．１．５節によって行われる。
【０１９０】
コードブロック連接後の各ビットは
【０１９１】
【数３３】
0005393868.tif 000050
で表示される。ここで、Ｇは、制御情報がＵＬ―ＳＣＨ伝送と多重化されるとき、制御伝送のために使用される各ビットを除いた、伝送のための各コードビットの総個数である。
【０１９２】
以下、制御情報のチャンネルコーディングについて説明する。制御データは、チャンネル品質情報（ＣＱＩ及び／又はＰＭＩ）、ＨＡＲＱ―ＡＣＫ及びランク指示子の形態でコーディングユニットに到逹する。制御情報の伝送のために互いに異なる個数のコーディングされた各シンボルを割り当てることによって、制御情報に対する互いに異なるコーディングレートを得ることができる。制御データがＰＵＳＣＨで伝送されるとき、ＨＡＲＱ―ＡＣＫに対するチャンネルコーディング、ランク指示子及びチャンネル品質情報
【０１９３】
【数３４】
0005393868.tif 000051
に対するチャンネルコーディングは独立的に行われる。
【０１９４】
―ＨＡＲＱ―ＡＣＫが１ビットの情報、すなわち、
【０１９５】
【数３５】
0005393868.tif 000052
で構成される場合、ＨＡＲＱ―ＡＣＫは、まず、表５．２．２―１によって符号化される。
【０１９６】
―ＨＡＲＱ―ＡＣＫが２ビットの情報、すなわち、
【０１９７】
【数３６】
0005393868.tif 000053
で構成される場合、ＨＡＲＱ―ＡＣＫは、まず、表５．２．２―２によって符号化される。
【０１９８】
【表１３】
0005393868.tif 000054
【０１９９】
【表１４】
0005393868.tif 000055
［前記表の「ｘ」は、コーディングされた各ビットのスクランブリングを行うとき、この値を有して各ビットを互いに異なるように取り扱うためのプレースホルダ（ｐｌａｃｅｈｏｌｄｅｒ）である。これは、ＰＵＳＣＨでＡＣＫ伝送のために使用される星状図サイズ（ｃｏｎｓｔｅｌｌａｔｉｏｎ  ｓｉｚｅ）をＱＰＳＫに限定する。］
【０２００】
ビットシーケンス
【０２０１】
【数３７】
0005393868.tif 000056
は、複数のエンコードされたＨＡＲＱ―ＡＣＫブロックを連接することによって得る。ここで、
【０２０２】
【数３７−１】
0005393868.tif 000057
は、全てのエンコードされた各ＨＡＲＱ―ＡＣＫブロックに対するコーディングされたビットの総個数である。ＨＡＲＱ―ＡＣＫ情報に対するチャンネルコーディングのベクトルシーケンス出力は、
【０２０３】
【数３８】
0005393868.tif 000058
で表示される。ここで、
【０２０４】
【数３９】
0005393868.tif 000059
で、次の手順によって得ることができる。
【０２０５】
【数４０】
0005393868.tif 000060
ランク指示子（ＲＩ）について、
―  ＲＩが１ビットの情報、すなわち、
【０２０６】
【数４１】
0005393868.tif 000061
で構成される場合、ＲＩは、まず、表５．２．２―３によって符号化される。
【０２０７】
―  ＲＩが２ビットの情報、すなわち、
【０２０８】
【数４２】
0005393868.tif 000062
で構成される場合、ＲＩは、まず、表５．２．２―４によって符号化される。ここで、
【０２０９】
【数４３】
0005393868.tif 000063
である。
【０２１０】
【表１５】
0005393868.tif 000064
【０２１１】
【表１６】
0005393868.tif 000065
表１５及び表１６の「ｘ」は、ランク情報を運搬する各変調シンボルのユークリッド  距離を最大化する方式でＲＩビットをスクランブリングするための３ＧＰＰ  ＴＳ  ３６．２１１のためのプレースホルダである。
【０２１２】
ビットシーケンス
【０２１３】
【数４４】
0005393868.tif 000066
は、複数のエンコードされたＲＩブロックの連接によって得ることができる。ここで、
【０２１４】
【数４４−１】
0005393868.tif 000067
は、全てのエンコードされたＲＩブロックに対してコーディングされた各ビットの総個数である。エンコードされたＲＩブロックの最後の連接は、総ビットシーケンスの長さが
【０２１５】
【数４４−２】
0005393868.tif 000068
と同一になるように部分的である。ランク情報に対するチャンネルコーディングのベクトルシーケンス出力は、
【０２１６】
【数４５】
0005393868.tif 000069
で表示される。ここで、
【０２１７】
【数４６】
0005393868.tif 000070
であり、下記の手順によって得ることができる。
【０２１８】
【数４７】
0005393868.tif 000071
チャンネル品質制御情報（ＣＱＩ及び／又はＰＭＩ）について、
―  ペイロードの大きさが１１ビット以下である場合、チャンネル品質情報のチャンネルコーディングは、入力シーケンス
【０２１９】
【数４８】
0005393868.tif 000072
を有して３ＧＰＰ  ＴＳ  ３６．２１２の５．２．３．３節によって行われる。
【０２２０】
―  ペイロードの大きさが１１ビットより大きい場合、チャンネル品質情報のレートマッチング及びチャンネルコーディングは、入力シーケンス
【０２２１】
【数４９】
0005393868.tif 000073
を有して３ＧＰＰ  ＴＳ  ３６．２１２の５．１．３．１節及び５．１．４．２節によって行われる。
【０２２２】
チャンネル品質情報のチャンネルコーディングに対する出力シーケンスは、
【０２２３】
【数５０】
0005393868.tif 000074
で表示される。
【０２２４】
制御及びデータ多重化は、ＨＡＲＱ―ＡＣＫ情報が二つのスロットに全て存在し、ＨＡＲＱ―ＡＣＫ情報が復調ＲＳの周囲の資源にマッピングされるように行われる。また、多重化は、制御及びデータ情報が互いに異なる各変調シンボルにマッピングされるようにしなければならない。
【０２２５】
データ／制御多重化に対する入力は、
【０２２６】
【数５１】
0005393868.tif 000075
で表示される制御情報のコーディングされた各ビット及び
【０２２７】
【数５２】
0005393868.tif 000076
で表示されるＵＬ―ＳＣＨのコーディングされた各ビットである。データ／制御多重化処理の出力は
【０２２８】
【数５３】
0005393868.tif 000077
で表示される。ここで、
【０２２９】
【数５４】
0005393868.tif 000078
は長さＱｍの行ベクトルである。Ｈは、ＵＬ―ＳＣＨデータ及びＣＱＩ／ＰＭＩデータのために割り当てられたコーディングされた各ビットの総個数である。
【０２３０】
【数５５】
0005393868.tif 000079
は、ＰＵＳＣＨ伝送のためのサブフレーム当たりのＳＣ―ＦＤＭＡシンボルの個数を示す。
【０２３１】
制御情報及びデータは、下記のような処理を通して多重化される。
【０２３２】
【数５６】
0005393868.tif 000080
以下、チャンネルインタリーバについて説明する。
【０２３３】
チャンネルインタリーバは、３ＧＰＰ  ＴＳ  ３６．２１１のＰＵＳＣＨに対してマッピングされる資源要素と関連して説明される。チャンネルインタリーバは、伝送波形上で変調シンボルの時間優先マッピング方法で具現される。このとき、ＨＡＲＱ―ＡＣＫ情報は、一つのサブフレームのうち２個のスロットに全て存在するようになり、アップリンク復調ＲＳ周囲の資源にマッピングされる。
【０２３４】
チャンネルインタリーバの入力は、
【０２３５】
【数５７】
0005393868.tif 000081
で表示される。サブフレームの変調シンボルの個数は
【０２３６】
【数５８】
0005393868.tif 000082
で表示される。チャンネルインタリーバの出力ビットシーケンスは下記のように誘導される。
【０２３７】
（１）行列の行の個数を
【０２３８】
【数５９】
0005393868.tif 000083
として割り当てる。行列の行は、左側から右側に
【０２３９】
【数６０】
0005393868.tif 000084
にナンバリングされる。
【０２４０】
（２）行列の列の個数を
【０２４１】
【数６１】
0005393868.tif 000085
として割り当てる。そして、
【０２４２】
【数６２】
0005393868.tif 000086
と定義する。
【０２４３】
矩形行列の列は、上方から下方に
【０２４４】
【数６３】
0005393868.tif 000087
にナンバリングされる。
【０２４５】
（３）ランク情報がこのサブフレーム内で伝送されれば、ベクトルシーケンス
【０２４６】
【数６４】
0005393868.tif 000088
が表５．２．２．８―１に表示された行に記録される。ただし、最後の列から始めてＱｍ個の列が一セットとして記録され、下記の擬似コードによって上方に移動しながら記録される。
【０２４７】
【数６５】
0005393868.tif 000089
（４）入力ベクトルシーケンス、すなわち、
【０２４８】
【数６６】
0005393868.tif 000090
行列内に記録する。ただし、行０内のベクトル
【０２４９】
【数６７】
0005393868.tif 000091
の列を一セットとして記録し、列０から
【０２５０】
【数６８】
0005393868.tif 000092
まで記録し、既に記録された行列要素はスキップしながら記録する。
【０２５１】
【数６９】
0005393868.tif 000093
【０２５２】
（５）ＨＡＲＱ―ＡＣＫ情報がこのサブフレーム内で伝送される場合、ベクトルシーケンス
【０２５３】
【数７０】
0005393868.tif 000094
は、表１８に表示された各行に記録される。ただし、最後の列から上方に移動しながら
【０２５４】
【数７１】
0005393868.tif 000095
個の列を一つのセットとして記録する。この動作は、（４）で記録されたチャンネルインタリーバの一部の要素を上書きすることができる。
【０２５５】
（６）ブロックインタリーバの出力は、
【０２５６】
【数７２】
0005393868.tif 000096
行列から行ごとに読み出したビットシーケンスである。チャンネルインタリーバ後のビットは、
【０２５７】
【数７３】
0005393868.tif 000097
で表示される。
【０２５８】
【表１７】
0005393868.tif 000098
【０２５９】
【表１８】
0005393868.tif 000099
上述した本発明による各実施例は、３ＧＰＰのＵＬ―ＳＣＨに使用可能であるが、これに限定されないことを理解しなければならない。
【０２６０】
以上説明した各実施例は、本発明の各構成要素と各特徴が所定形態で結合されたものである。各構成要素又は特徴は、別途の明示的な言及がない限り、選択的なものとして考慮しなければならない。各構成要素又は特徴は、他の構成要素や特徴と結合されていない形態で実施される。また、一部の構成要素及び／又は特徴を結合し、本発明の実施例を構成することも可能である。本発明の各実施例で説明する各動作の順序は変更可能である。一つの実施例の一部の構成や特徴は、他の実施例に含まれたり、又は、他の実施例の対応する構成又は特徴に取り替えられる。特許請求の範囲で明示的な引用関係のない各請求項を結合して実施例を構成したり、出願後の補正によって新しい請求項として含ませることができることは自明である。
【０２６１】
本発明に係る実施例は、多様な手段、例えば、ハードウェア、ファームウェア、ソフトウェア又はそれらの結合などによって具現される。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現される。
【０２６２】
ファームウェアやソフトウェアによる具現の場合、本発明の一実施例は、以上説明した機能又は各動作を行うモジュール、手順、関数などの形態で具現される。ソフトウェアコードは、メモリユニットに格納されてプロセッサによって駆動される。上述したメモリユニットは、上述したプロセッサの内部又は外部に位置し、既に公知となった多様な手段によって上述したプロセッサとデータを取り交わすことができる。
【０２６３】
本発明がその精神及び必須的な特徴を逸脱しない範囲で他の特定の形態で具体化されることは、当業者にとって自明である。したがって、上述した詳細な説明は、全ての面で制限的に解釈してはならず、例示的なものとして考慮しなければならない。本発明の範囲は、添付の特許請求の範囲の合理的な解釈によって決定されなければならなく、本発明の等価的範囲内での全ての変更は本発明の範囲に含まれる。
【産業上の利用可能性】
【０２６４】
本発明は、無線移動通信システムの端末機、基地局又はその他の装備に使用される。
【図１】
0005393868.tif 000100
【図２】
0005393868.tif 000101
【図３ａ】
0005393868.tif 000102
【図３ｂ】
0005393868.tif 000103
【図４ａ】
0005393868.tif 000104
【図４ｂ】
0005393868.tif 000105
【図５ａ】
0005393868.tif 000106
【図５ｂ】
0005393868.tif 000107
【図５ｃ】
0005393868.tif 000108
【図６ａ】
0005393868.tif 000109
【図６ｂ】
0005393868.tif 000110
【図７】
0005393868.tif 000111
【図８】
0005393868.tif 000112
【図９】
0005393868.tif 000113
【図１０】
0005393868.tif 000114
【図１１】
0005393868.tif 000115
【図１２】
0005393868.tif 000116
【図１３】
0005393868.tif 000117
【図１４ａ】
0005393868.tif 000118
【図１４ｂ】
0005393868.tif 000119
【図１５ａ】
0005393868.tif 000120
【図１５ｂ】
0005393868.tif 000121
【図１６】
0005393868.tif 000122
【図１７】
0005393868.tif 000123
【図１８ａ】
0005393868.tif 000124
【図１８ｂ】
0005393868.tif 000125
【図１８ｃ】
0005393868.tif 000126
【図１８ｄ】
0005393868.tif 000127
【図１８ｅ】
0005393868.tif 000128
【図１８ｆ】
0005393868.tif 000129
【図１９ａ】
0005393868.tif 000130
【図１９ｂ】
0005393868.tif 000131
【図２０ａ】
0005393868.tif 000132
【図２０ｂ】
0005393868.tif 000133
【図２１ａ】
0005393868.tif 000134
【図２１ｂ】
0005393868.tif 000135
【図２２】
0005393868.tif 000136